(57)【要約】  複数の端末装置を用いて表示装置を共有する際に、各々ユーザのサービス区分が異なる場合であっても、効率よくコンテンツなどを提供する。テレビ受信機１０１は、２以上の無線端末と通信回線により接続される。テレビ受信機１０１において、制御部２１４および通信Ｉ／Ｆ２１２は、２以上の無線端末から入力されるログイン情報をコンテンツ配信サーバに送信し、該ログイン情報に基づいて、コンテンツ配信サーバがそれぞれ生成したコンテンツ一覧情報を取得する。取得した各々のコンテンツ一覧情報を統合した統合コンテンツ一覧を生成する。表示部２１０は、統合コンテンツ一覧を表示する。コンテンツ一覧情報は、通信回線に接続された情報端末が視聴することのできるコンテンツである。統合コンテンツ一覧は、コンテンツ一覧情報を統合して２以上の情報端末が視聴することのできるコンテンツである。
2017104001.tif 000002
【特許請求の範囲】
【請求項１】
２以上の情報端末が第１のネットワークによって接続され、コンテンツを配信するコンテンツ配信装置が第２のネットワークによって接続される表示装置であって、
前記表示装置は、
前記情報端末から入力されるログイン情報を前記コンテンツ配信装置にそれぞれ送信する情報制御部と、
前記情報制御部が送信した前記ログイン情報に基づいて前記コンテンツ配信装置がそれぞれ生成したコンテンツ一覧情報を取得するコンテンツ制御部と、
前記コンテンツ制御部が前記コンテンツ配信装置から取得したそれぞれの前記コンテンツ一覧情報を統合した統合コンテンツ一覧を生成する統合コンテンツ生成部と、
前記統合コンテンツ生成部が生成した前記統合コンテンツ一覧を表示する第１の表示部と、
を有し、
前記コンテンツ一覧情報は、前記第１のネットワークによって前記表示装置に接続された前記情報端末がそれぞれ視聴することのできるコンテンツの一覧情報であり、
前記統合コンテンツ一覧は、前記コンテンツ一覧情報を統合して前記ログイン情報を入力した前記情報端末が視聴することのできるコンテンツの一覧情報である、表示装置。
【請求項２】
請求項１記載の表示装置において、
前記情報制御部は、グループ単位にてログインする２以上の前記情報端末からそれぞれ入力される前記ログイン情報を統合した統合ログイン情報を生成して前記コンテンツ配信装置に送信し、前記コンテンツ配信装置が前記統合ログイン情報に基づいて生成した統合サービス情報を前記コンテンツ配信装置から受信し、受信した前記統合サービス情報を前記情報端末に送信し、
前記情報制御部が送信する前記統合サービス情報は、２以上の前記情報端末がグループ単位にて前記コンテンツ配信装置にログインした際に得られる付加価値を示す情報である、表示装置。
【請求項３】
請求項２記載の表示装置において、
前記情報制御部が受信する前記統合サービス情報は、前記付加価値として、グループ単位にてログインした２以上の前記情報端末により、前記コンテンツの視聴料金を分担支払いできることを示す分担支払い情報である、表示装置。
【請求項４】
請求項２記載の表示装置において、
前記情報制御部が受信する前記統合サービス情報は、前記付加価値として、前記コンテンツを前記グループの前記情報端末によって共有するか否かを示すコンテンツ共有情報である、表示装置。
【請求項５】
請求項１記載の表示装置において、
前記表示装置にアクセス可能な前記情報端末を検出する端末検出部を有し、
前記端末検出部は、アクセス可能な前記情報端末を検出した際に、検出した前記情報端末に対して接続を要求する接続要求情報を送信し、
前記情報制御部は、接続が確立した前記情報端末から前記ログイン情報を取得して前記コンテンツ配信装置に送信する、表示装置。
【請求項６】
コンテンツを配信するコンテンツ配信装置と、第２のネットワークによって接続され、前記コンテンツ配信装置が配信するコンテンツを表示する表示装置と、第１のネットワークによってコンテンツを表示する表示装置に接続される情報端末であって、
前記情報端末は、
ログインするログイン情報を入力する入力部と、
前記入力部から入力された前記ログイン情報を前記表示装置に送信する送信部と、
前記表示装置から送信される統合サービス情報を受信する受信部と、
前記受信部が受信した統合サービス情報を表示する第２の表示部と、
を有し、
前記受信部が受信する前記統合サービス情報は、前記コンテンツ配信装置が生成する情報であり、前記第１のネットワークに接続された２以上の前記情報端末がグループ単位にて前記コンテンツ配信装置にログインした際に得られる付加価値情報である、情報端末。
【請求項７】
請求項６記載の情報端末において、
前記受信部が受信する前記統合サービス情報は、前記付加価値情報として、グループ単位にてログインした２以上の前記情報端末により、前記コンテンツの視聴料金を分担支払いできることを示す分担支払い情報であり、
前記第２の表示部は、前記分担支払い情報に基づいて、分担支払いの金額および分担支払いの可否を選択する画面を表示する、情報端末。
【請求項８】
請求項６記載の情報端末において、
前記受信部が受信する前記統合サービス情報は、前記付加価値情報として、前記コンテンツを前記グループ前記情報端末によって共有するか否かを示すコンテンツ共有情報であり、
前記第２の表示部は、前記コンテンツ共有情報に基づいて、前記グループ単位にて前記コンテンツ配信装置にログインした前記情報端末によるコンテンツ共有の可否を選択する画面を表示する、情報端末。
【請求項９】
請求項６記載の情報端末において、
前記受信部は、前記表示装置から送信された前記表示装置との接続を要求する接続要求情報を受信し、
前記第２の表示部は、前記受信部が前記接続要求情報を受信した際に、前記表示装置と接続するか否かを選択するネットワーク接続確認の選択画面を表示する、情報端末。
【請求項１０】
２以上の情報端末が第１のネットワークによって接続され、コンテンツを配信するコンテンツ配信装置が第２のネットワークによって接続される表示装置による情報処理方法であって、
２以上の前記情報端末から入力されるログイン情報を前記コンテンツ配信装置にそれぞれ送信するステップと、
前記コンテンツ配信装置から送信されたそれぞれの前記ログイン情報に基づいて前記コンテンツ配信装置がそれぞれ生成したコンテンツ一覧情報を取得するステップと、
前記コンテンツ配信装置から取得したそれぞれの前記コンテンツ一覧情報を統合した統合コンテンツ一覧を生成するステップと、
生成した前記統合コンテンツ一覧を表示するステップと、
を有し、
前記コンテンツ一覧情報は、前記第１のネットワークによって前記表示装置に接続された２以上の前記情報端末がそれぞれ視聴することのできるコンテンツの一覧情報であり、
前記統合コンテンツ一覧は、前記コンテンツ一覧情報を統合して２以上の前記情報端末が視聴することのできるコンテンツの一覧情報である、情報処理方法。
【請求項１１】
請求項１０記載の情報処理方法において、
グループ単位にてログインする２以上の前記情報端末からそれぞれ入力される前記ログイン情報を統合した統合ログイン情報を生成して前記コンテンツ配信装置に送信するステップと、
前記コンテンツ配信装置が前記統合ログイン情報に基づいて生成した統合サービス情報を受信するステップと、
受信した前記統合サービス情報を前記情報端末に送信するステップと、
を有し、
前記統合サービス情報は、２以上の前記情報端末がグループ単位にて前記コンテンツ配信装置にログインした際に得られる付加価値を示す情報である、情報処理方法。
【請求項１２】
請求項１１記載の情報処理方法において、
前記統合サービス情報は、前記付加価値として、グループ単位にてログインした２以上の前記情報端末により、前記コンテンツの視聴料金を分担支払いできることを示す分担支払い情報である、情報処理方法。
【請求項１３】
請求項１１記載の情報処理方法において、
前記統合サービス情報は、前記付加価値として、前記コンテンツを前記グループの前記情報端末によるコンテンツ共有の可否を示すコンテンツ共有情報である、情報処理方法。
【請求項１４】
請求項１１記載の情報処理方法において、
前記表示装置にアクセス可能な前記情報端末を検出するステップと、
アクセス可能な前記情報端末を検出した際に、検出した前記情報端末に対して接続を要求する接続要求情報を送信するステップと、
前記接続要求情報に基づいて接続が確立した前記情報端末から前記ログイン情報を取得して前記コンテンツ配信装置に送信するステップと、
を有する、情報処理方法。
【発明の詳細な説明】
【技術分野】
【０００１】
本発明は、表示装置、情報端末、および情報処理方法に関し、特に、複数の端末装置によるコンテンツ視聴に有効な技術に関する。
【背景技術】
【０００２】
近年、映画や音楽などのコンテンツをインターネットにて配信する配信サービスが広く利用されている。この種の配信サービスとしては、例えば特許文献１が知られている。この特許文献１には、「各人のプライバシーを保護しながら表示装置を複数のユーザで共有することができるネットワーク端末システムを提供する」と記載があり、無線端末を使用してテレビ受信機を操作することにより、テレビ受信機を複数のユーザで共有することができ、各人のプライバシを保護しながら使い分けできるようになる技術について記載されている。
【先行技術文献】
【特許文献】
【０００３】
【特許文献１】特表２０１４−０８０５０８号公報
【発明の概要】
【発明が解決しようとする課題】
【０００４】
しかしながら、上述した特許文献１の技術は、様々な使用環境、使用状況におけるユーザの使い勝手が十分ではなかった。【０００５】
例えば、特許文献１において、複数のユーザが同時に表示装置であるテレビ受信機を共有して使用する場合には、各人が契約するコンテンツ配信業者、いわゆるコンテンツプロバイダとの契約内容、例えば、利用可能なサービス区分などが互いに異なることが多い。そのため、見たいコンテンツを切り替えるたびに、各ユーザからのログイン動作を行う必要があるなど、使い勝手が悪いという問題がある。【０００６】
本発明の目的は、複数の端末装置を用いて表示装置を共有する際に、各々ユーザのサービス区分が異なる場合であっても、効率よくコンテンツなどを提供することのできる技術を提供することにある。【０００７】
本発明の前記ならびにその他の目的と新規な特徴については、本明細書の記述および添付図面から明らかになるであろう。
【課題を解決するための手段】
【０００８】
本願において開示される発明のうち、代表的なものの概要を簡単に説明すれば、次のとおりである。【０００９】
すなわち、代表的な表示装置は、２以上の情報端末が第１のネットワークによって接続され、コンテンツを配信するコンテンツ配信装置が第２のネットワークによって接続される。【００１０】
この表示装置は、情報制御部、コンテンツ制御部、統合コンテンツ生成部、および第１の表示部を有する。情報制御部は、２以上の情報端末から入力されるログイン情報をコンテンツ配信装置にそれぞれ送信する。コンテンツ制御部は、コンテンツ配信装置から送信されたそれぞれのログイン情報に基づいてコンテンツ配信装置がそれぞれ生成したコンテンツ一覧情報を取得する【００１１】
統合コンテンツ生成部は、コンテンツ制御部がコンテンツ配信装置から取得したそれぞれのコンテンツ一覧情報を統合した統合コンテンツ一覧を生成する。第１の表示部は、統合コンテンツ生成部が生成した統合コンテンツ一覧を表示する。【００１２】
コンテンツ一覧情報は、第１のネットワークによって表示装置に接続された情報端末がそれぞれ視聴することのできるコンテンツの一覧情報である。統合コンテンツ一覧は、コンテンツ一覧情報を統合して２以上の情報端末が視聴することのできるコンテンツの一覧情報である。【００１３】
また、情報制御部は、グループ単位にてログインする２以上の情報端末からそれぞれ入力されるログイン情報を統合した統合ログイン情報を生成してコンテンツ配信装置に送信し、コンテンツ配信装置が統合ログイン情報に基づいて生成した統合サービス情報をコンテンツ配信装置から受信し、受信した統合サービス情報を情報端末に送信する。【００１４】
情報制御部が送信する統合サービス情報は、２以上の情報端末がグループ単位にてコンテンツ配信装置にログインした際に得られる付加価値を示す情報である。【００１５】
特に、情報制御部が受信する統合サービス情報は、付加価値として、グループ単位にてログインした２以上の情報端末により、コンテンツの視聴料金を分担支払いできることを示す分担支払い情報である。
【発明の効果】
【００１６】
本願において開示される発明のうち、代表的なものによって得られる効果を簡単に説明すれば以下のとおりである。【００１７】
利便性の高いネットワーク端末システムを実現することができる。
【図面の簡単な説明】
【００１８】
【図１】実施の形態１によるネットワーク端末システムにおける構成の一例を示すブロックである。
【図２】図１のネットワーク端末システムが有するテレビ受信機における構成の一例を示す説明図である。
【図３】図１のネットワーク端末システムが有する無線端末における構成の一例を示す説明図である。
【図４】図１のネットワーク端末システムが有するコンテンツ配信サーバの構成の一例を示す説明図である。
【図５】図２のテレビ受信機が有するメモリおよびストレージにおける構成の一例を示す説明図である。
【図６】図３の無線端末が有するメモリおよびストレージにおける構成の一例を示す説明図である。
【図７】図４のコンテンツ配信サーバが有するメモリおよびストレージにおける構成の一例を示す説明図である。
【図８】図６のユーザプロファイル生成部により管理されるユーザプロファイル情報の一例を示すデータテーブルである。
【図９】図４のユーザ認証情報および機器認証情報の内容例を示すデータテーブルである。
【図１０】図１のネットワーク端末システムが有する無線端末およびテレビ受信機による処理の一例を示すフローチャートである。
【図１１】図１のネットワーク端末システムが有する無線端末の表示の一例を示す説明図である。
【図１２】図１のネットワーク端末システムが有する無線端末、テレビ受信機、およびコンテンツ配信サーバによる処理の一例を示すフローチャートである。
【図１３】図１のネットワーク端末システムが有する無線端末における操作画面の表示の一例を示す説明図である。
【図１４】図１のネットワーク端末システムが有するテレビ受信機のＡｐｐメニュー画面の表示の一例を示す説明図である。
【図１５】図１のネットワーク端末システムが有するテレビ受信機のコンテンツ一覧表示画面における表示の一例を示す説明図である。
【図１６】図１のネットワーク端末システムが有するテレビ受信機のコンテンツ詳細表示画面における表示の一例を示す説明図である。
【図１７】図１のネットワーク端末システムが有する無線端末、テレビ受信機、およびコンテンツ配信サーバによる処理の一例を示すフローチャートである。
【図１８】テレビ受信機に表示されるログイン完了通知画面の表示の一例を示す説明図である。
【図１９】テレビ受信機に表示される統合コンテンツ一覧表示画面における表示の一例を示す説明図である。
【図２０】テレビ受信機に表示される１０１ソート処理選択画面における表示の一例を示す説明図である。
【図２１】テレビ受信機に表示されるログアウト通知画面の表示の一例を示す説明図である。
【図２２】実施の形態２によるネットワーク端末システムにおける処理の一例を示すフローチャートである。
【図２３】図２２のステップＳ２２０１の処理によって生成された統合ログイン情報の一例を示す説明図である。
【図２４】図２２のステップＳ２２０７の処理による統合サービス表示画面における表示の一例を示す説明図である。
【図２５】図２２のステップＳ２２０７の処理による統合サービス表示画面における表示の他の例を示す説明図である。
【図２６】実施の形態３によるネットワーク端末システムにおける動作の一例を示すフローチャートである。
【図２７】図２６のステップＳ２６０３の処理による課金メニュー表示画面における表示の一例を示す説明図である。
【図２８】図２６のステップＳ２６０６，Ｓ２６０７の処理における操作画面の一例を示す説明図である。
【図２９】実施の形態４による無線端末における初期設定情報の一例を示す説明図である。
【図３０】無線端末に表示される初期設定画面の一例を示す説明図である。
【図３１】実施の形態５によるネットワーク端末システムにおける処理の一例を示すフローチャートである。
【図３２】図３１のステップ３１０４の処理におけるネットワーク接続確認画面の一例を示す説明図である。
【発明を実施するための形態】
【００１９】
以下の実施の形態においては便宜上その必要があるときは、複数のセクションまたは実施の形態に分割して説明するが、特に明示した場合を除き、それらはお互いに無関係なものではなく、一方は他方の一部または全部の変形例、詳細、補足説明等の関係にある。
【００２０】
また、以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でもよい。
【００２１】
さらに、以下の実施の形態において、その構成要素（要素ステップ等も含む）は、特に明示した場合および原理的に明らかに必須であると考えられる場合等を除き、必ずしも必須のものではないことは言うまでもない。
【００２２】
同様に、以下の実施の形態において、構成要素等の形状、位置関係等に言及するときは特に明示した場合および原理的に明らかにそうではないと考えられる場合等を除き、実質的にその形状等に近似または類似するもの等を含むものとする。このことは、上記数値および範囲についても同様である。
【００２３】
また、実施の形態を説明するための全図において、同一の部材には原則として同一の符号を付し、その繰り返しの説明は省略する。
以下、実施の形態を詳細に説明する。
（実施の形態１）
【００２４】
本実施の形態１では、映像や音声や文字情報などのコンテンツをインターネットで配信するサービス（以下、ＩＰＴＶサービスと呼ぶ）を利用する場合を例として説明するが、本実施例に限定されるものではない。
〈ＩＰＴＶサービスについて〉
【００２５】
ＩＰＴＶサービスは、その形態から、ストリーミング、ダウンロード、およびプログレッシブダウンロードの３つのサービスに大別される。ストリーミングは、サーバからコンテンツのデータをクライアントに逐次配信し、クライアントでは到着したデータから映像や音声などを再生することでユーザに提示する。このため、十分に帯域の広いネットワークがある場合に、ほぼリアルタイムにユーザがコンテンツを視聴可能なことが特徴である。
【００２６】
ダウンロードは、クライアントがサーバからあらかじめコンテンツデータのすべてを取得して蓄積しておき、蓄積完了後に視聴再生を行う。このため、リアルタイムに視聴する必要がない場合、予めすべてのコンテンツデータを配信完了して蓄積することで、ユーザが所望のタイミングで何度も視聴することが可能であり、十分に帯域の広いネットワークでなくてもコンテンツ配信を受けられることが特徴である。
【００２７】
また、プログレッシブダウンロードは、これら２つの中間に位置し、コンテンツのすべての配信が完了する前に、端末に蓄積された中から逐次視聴を行う。これにより、必ずしも蓄積完了を待つ必要がなく、帯域が十分広くない場合にも蓄積時間を短縮することができ、また、蓄積完了後であればユーザ所望のタイミングで何度も視聴できるというメリットを提供できる。
【００２８】
ＩＰＴＶサービスを含むコンテンツ配信サービスにおいては、ユーザが配信サービスを受ける対価としてのサービス事業者による利用料の課金が行われることが多い。このとき、ユーザが正規利用者として予め登録されており、ＩＤなどの識別子を手がかりに、パスワード、氏名および住所などの各種情報が管理される。なお、パスワードは、指紋など生体情報などでもよい。
【００２９】
有料となるコンテンツの配信の場合は、蓄積あるいは視聴する際の課金情報を記録可能であり、別途指定される支払い方法により利用料の支払いが可能であることが確認される。
【００３０】
配信サービスの利用段階においては、ＩＤ（IDentification） などの登録情報の識別子およびパスワードによる管理情報との照合を行い、サービスを利用可能にするためのユーザ認証を受ける必要がある。この認証された正規利用者には、配信を受けるコンテンツの選択や検索、そのほかの情報配信などのサービスを選択するためにコンテンツ視聴ポータル画面を提供することが多い。
【００３１】
また、ユーザが使用する機器が、サービス事業者が推奨する機器であるか、あるいは機器内で動作する配信サービスを受けるプログラムが推奨のプログラムであるかなどを、配信サービスに先行して通信により確認する機器認証を行うことが多い。これにより、無断にコピーや移動、改変などの著作権法などの法令を違反する行為や、コンテンツの不正利用を防止する。
【００３２】
このとき、コンテンツを予め共通鍵暗号方式で暗号化しておき、認証された正規利用者のみが複合できるように、または認証された正規接続機器でのみ復号できるように、さらには、正規利用者が認証された正規接続機器でのみ複合できるように、暗号を解読するための鍵を別途受け取りコンテンツと結び付けて保持することがある。
【００３３】
また、公開鍵暗号化方式を用いて、公開鍵と秘密鍵を接続機器側、あるいはサービス事業者で用意し、秘密鍵を利用者登録時などに接続機器に送り、サービス事業者と接続機器でそれぞれ暗号化、復号化に用いてもよい。
【００３４】
一般に、これら復号のための鍵は、コンテンツ再生の期限や回数、および再生可能なユーザや機器などの再生条件とともに記録される。以下、暗号化のための鍵を暗号鍵、復号のための鍵を復号鍵と呼ぶ。
【００３５】
このように、ＩＰＴＶのサービス事業者は、コンテンツやサービスの提供者の代行として、ユーザ認証と機器認証、および復号鍵の関係付けにより、サービス事業者は、コンテンツやサービスの提供者の代行として、コンテンツ配信サービスなどをユーザに安全に提供し、確実な課金を行うこととなる。
【００３６】
以降、ユーザは、所望するコンテンツの配信を受け、正しくコンテンツ再生などのサービスを授受することとなる。さらに、これらに基づいて、ユーザは著作権に基づいて再生できる権利に対応させて結び付けたコンテンツを保持することが可能となる場合もある。
【００３７】
ユーザは、このようにして得られたコンテンツおよび復号鍵を用いて所定の機器によりコンテンツの再生を行うが、これらは通常同一装置、同一ユーザが前提となっている。
【００３８】
これに対して、同一ユーザが複数の装置を所有しており、同じコンテンツを別の装置で再生したい場合には、同一コンテンツに対しても再度課金されてしまう不便さがある。
【００３９】
そのため、再生できる権利を有する同一ユーザであればサービス事業者が許容する機器台数の範囲内において、複数の機器においてコンテンツを再生することを許可するサービスがある。
【００４０】
また、コンテンツと同様にアプリケーションソフトウェアをダウンロード購入して、機器側でアプリケーションソフトウェアを動作することによりその機能を享受するサービスもある。認証された正規利用者には、前記のコンテンツの場合と同様にダウンロードできる権利を有する同一ユーザであればサービス事業者が許容する機器台数の範囲内において、複数の機器においてアプリケーションをダウンロードすることを許可するサービスもある。
【００４１】
〈ネットワーク端末システムの構成例〉
【００４２】
図１は、本実施の形態１によるネットワーク端末システムにおける構成の一例を示すブロックである。
【００４３】
ネットワーク端末システムは、図１に示すように、例えば、テレビ受信機１０１、無線端末１０２、無線端末１０３、無線ルータ１０４、外部ネットワーク１０５、およびコンテンツ配信サーバ１０６を有する。
【００４４】
図１では、無線端末１０２および無線端末１０３の各ユーザが、例えば家庭や店舗などにおいて、テレビ受信機１０１にてテレビ番組を視聴する例を示している。無線端末１０２，１０３は、情報端末であり、例えば携帯電話機などの移動体通信端末からなる。
【００４５】
このとき、例えば無線端末１０３のユーザが、無線端末１０２のユーザの家に遊びに来るなどして、図１に示すネットワーク端末システムを一時的に構築することを想定している。なお、図１では、２台の無線端末１０２，１０３を用いた例を示しているが、無線端末の数はこれに限定されるものではなく、無線端末の数が３台以上であってもよい。
【００４６】
無線ルータ１０４は、Ｗｉ−Ｆｉ（登録商標）などの無線ＬＡＮ（Local Area Network）機能を備え、通信回線を経由して外部ネットワーク１０５に接続できる。無線ＬＡＮなどの通信回線は、第１のネットワークであり、外部ネットワーク１０５は、第２のネットワークである。
【００４７】
また、無線ルータ１０４は、テレビ受信機１０１、無線端末１０２、無線端末１０３、および外部ネットワーク１０５に接続されている。テレビ受信機１０１、無線端末１０２または無線端末１０３は、インターネット網から情報を入手することができる。
【００４８】
また、無線ルータ１０４は、テレビ受信機１０１と有線ＬＡＮまたは無線ＬＡＮにて接続されており、無線端末１０２または無線端末１０３とは、無線ＬＡＮにて接続されているものとする。ここで、Ｗｉ−Ｆｉは、ＩＥＥＥ（米国電気電子学会）の規格「IEEE 802.11a/IEEE 802.11b」によって策定された無線ＬＡＮの標準規格である。
【００４９】
コンテンツ配信装置であるコンテンツ配信サーバ１０６は、映像、音声などのコンテンツを蓄積して、ネットワークに接続されたテレビ受信機１０１、無線端末１０２または無線端末１０３の要求に応じてコンテンツを配信するコンテンツ管理装置である。
【００５０】
このコンテンツ配信サーバ１０６は、外部ネットワーク１０５と接続されている。テレビ受信機１０１、無線端末１０２、または無線端末１０３は、無線ルータ１０４を経由して外部ネットワーク１０５に接続されたコンテンツ配信サーバ１０６と情報の送受信や、コンテンツおよび暗号化されたコンテンツを復号するための鍵などのコンテンツに関する情報の受信を行うことができる。
【００５１】
また、無線端末１０２，１０３は、それぞれ移動体通信網を利用して基地局１０８を通して通信ネットワークに接続して、通信ネットワークに接続された外部ネットワークを介しても情報の送受信およびコンテンツの受信を行うこともできる。
〈テレビ受信機のハードウェア構成〉
【００５２】
続いて、テレビ受信機１０１における構成について説明する。
【００５３】
図２は、図１のネットワーク端末システムが有するテレビ受信機１０１における構成の一例を示す説明図である。
【００５４】
表示装置であるテレビ受信機１０１は、アンテナ２０１に接続される。このテレビ受信機１０１は、チューナ・復調部２０２、選局制御部２０３、信号分離部２０４、音声復号部２０５、スピーカ２０６、音声出力部２０７、映像復号部２０８、重畳部２０９、表示部２１０、映像出力部２１１、通信Ｉ／Ｆ（インタフェース）２１２、入力部２１３、制御部２１４、メモリ２１５、ストレージ２１６、およびデジタルＩ／Ｆ２１７などを有する。これらの各機能ブロックは、バス２１８を介してそれぞれ接続されている。
【００５５】
テレビ受信機１０１の各種動作機能は、アプリケーションプログラムにより実現する。このアプリケーションプログラムは、ストレージ２１６に格納されており、制御部２１４がストレージ２１６から上述したプログラムをメモリ２１５に展開する。そして、制御部２１４がアプリケーションプログラムを実行することによって、様々な機能を実現する。
【００５６】
以下の説明では簡単のために、制御部２１４が各アプリケーションプログラムを実行して実現する各種機能をメモリ２１５に展開された「各種プログラム機能部」が主体となって実現することとして説明する。
【００５７】
アプリケーションプログラムは、テレビ受信機１０１の出荷時点において予めストレージ２１６）に格納されていてもよい。あるいは、ＣＤ（Compact Disk）やＤＶＤ（Digital Versatile Disk）などの光学メディアや半導体メモリなどの媒体に格納されて、図示しない媒体接続部を介してテレビ受信機１０１にインストールされてもよい。
【００５８】
また、通信Ｉ／Ｆ２１２および無線ルータ１０４を介して外部ネットワーク１０５からダウンロードしてインストールすることも可能である。なお、上記アプリケーションプログラムによる各種機能は、同様の機能を持つ処理部としてハードウェアで実現することも可能である。ハードウェアとして実現する場合は、各処理部が主体となって各機能を実現する。
【００５９】
入力部２１３は、ユーザからのテレビ受信機１０１に対する入力操作を受け付ける入力デバイスであり、例えば、リモコン、キーボード、マウスなどのポインティングデバイスが相当する。
【００６０】
制御部２１４は、入力部２１３を介してユーザの入力操作を受け取り、選局制御部２０３、信号分離部（２０４、重畳部２０９、各種プログラム機能部であるメモリ２１５、ストレージ２１６、通信Ｉ／Ｆ２１２、およびデジタルＩ／Ｆ２１７などの各処理部を制御する。
【００６１】
チューナ・復調部２０２は、選局制御部２０３に制御され、所望のサービスのチャンネルに同調する。アンテナ２０１を介して受信した図１の放送局１０７からの所望のデジタル放送信号を選局して、放送信号を復調してトランスポートストリームを生成する。
【００６２】
選局制御部２０３は、入力部２１３を介してサービスを選局する指示を受け、選局するチャンネルを切り替えるようにチューナ・復調部２０２を制御する。また、選局制御部２０３は、各種プログラム機能部からの指示により、現在放送中のイベント（番組）を放送しているサービス（チャンネル番号）、およびそのサービスが属する放送提示単位に切り替えるようにチューナ・復調部２０２を制御する。
【００６３】
通信Ｉ／Ｆ２１２は、有線ＬＡＮまたは無線ＬＡＮにより無線ルータ１０４に接続される。通信Ｉ／Ｆ２１２は、無線ルータ１０４を介して、無線端末１０２または無線端末１０３と各種情報を送受信する。
【００６４】
また、通信Ｉ／Ｆ２１２は、無線ルータ１０４を介して外部ネットワーク１０５と接続された装置とも各種情報を送受信可能である。例えば、外部ネットワーク１０５と接続されたコンテンツ配信サーバ１０６などから、ＩＰ放送やビデオオンデマンドなどの形態で映像音声ストリームなどのコンテンツストリームを受信することが可能である。制御部２１４および通信Ｉ／Ｆ２１２は、情報制御部、コンテンツ制御部、および統合コンテンツ生成部となる。
【００６５】
外部ネットワーク１０５と接続されたコンテンツ配信サーバ１０６などから映像音声ストリームやアプリケーションプログラムをダウンロードすることも可能である。ダウンロードしたデータまたは情報は、例えばストレージ２１６に格納される。
【００６６】
無線ルータ１０４との通信機能に加えて、またはこれに替えて、Ｗｉ−Ｆｉなどの無線ＬＡＮ、ＩｒＤＡ（登録商標）、Ｂｌｕｅｔｏｏｔｈ（登録商標）、ＮＦＣ（Near Field Communication）などの技術にて外部の機器と無線ルータ１０４を介さずに直接通信するように構成してもよい。
【００６７】
通信Ｉ／Ｆ２１２は、異なる通信方式を行うチップをそれぞれ実装してもよい。あるいは、複数の通信方式を扱う１つのチップとして実装されていてもよい。
【００６８】
以下、通信Ｉ／Ｆ２１２は、無線ルータ１０４を介して無線端末１０２または無線端末１０３と各種情報を送受信する例を説明するが、上述のとおり無線ルータ１０４を介さずに各種情報を直接送受信してもよい。
【００６９】
信号分離部２０４は、チューナ・復調部２０２で得たトランスポートストリームや、通信Ｉ／Ｆ２１２を介して得たコンテンツのストリームについて、映像データ、音声データ、字幕文データ、番組情報などを種類ごとに分離する。
【００７０】
また、番組情報、例えば、番組配列情報（ＳＩ）を取得し、他の処理ブロックに送信する機能を有する。他の処理部からデータ送信要求があった場合には、指定されたデータを、要求元へデータを送信する。
【００７１】
音声復号部２０５は、信号分離部２０４にて分離した音声データを復号する。音声復号部２０５によって復号された音声情報は、スピーカ２０６から出力される。音声復号部２０５にて復号された音声情報は、音声出力部２０７から外部機器へ出力してもよい。
【００７２】
映像復号部２０８は、信号分離部２０４にて分離した映像データを復号する。映像復号部２０８で復号された映像情報は、重畳部２０９に送られる。
【００７３】
重畳部２０９は、映像復号部２０８から送られる復号映像情報に、各種プログラム機能部にて作成されたＥＰＧ（Electronic Program Guide）画像、ＯＳＤ（On Screen Display）画像や、信号分離部２０４で分離された各種情報（字幕情報、字幕スーパ、データ放送データなど）から生成された画像などを重畳する。各種情報は、例えば字幕情報、字幕スーパ、あるいはデータ放送データなどなどである。
【００７４】
また、重畳部２０９は、後述するブラウザエンジン５０２にて作成されたブラウザ表示画面と映像信号とを合成したり、またはそれらの選択切り換えを行う。重畳部２０９を経た映像情報は、第１の表示部である表示部２１０によって表示される。
【００７５】
表示部２１０、例えばテレビ、パソコンのディスプレイ、あるいは液晶パネルなどによって構成されており、放送・配信された映像や各種操作をするためのＵＩ、Ｗｅｂブラウザ、ストレージ２１６に格納された画像などの表示を行う。
【００７６】
重畳部２０９を経た映像情報は、映像出力部２１１から外部機器へ出力してもよい。表示する画像や映像は、アプリケーションプログラムで生成された画像でもよく、チューナ・復調部２０２を介して受信したコンテンツの画像、映像でもよい。あるいは、通信Ｉ／Ｆ２１２を介して外部ネットワーク１０５上のサーバから受信した画像、映像でもよく、通信Ｉ／Ｆ２１２を介して無線端末１０２または無線端末１０３から受信した画像、映像でもよい。
【００７７】
また、信号分離部２０４によって所定の番組についてのトランスポートストリームを分離し、映像や音声を復号せずに出力するデジタルＩ／Ｆ２１７を設けてもよい。
【００７８】
ストレージ２１６は、アプリケーションプログラム、およびアプリケーションプログラムにて作成した各種情報を保存する。また、チューナ・復調部２０２や通信Ｉ／Ｆ２１２にて受信した信号から映像音声ストリームなどのコンテンツを保存することができる。メモリ２１５は、制御部２１４の制御により、ストレージ２１６に格納されているアプリケーションプログラムの機能部を展開する。
【００７９】
表示部（210）にて表示する画像や映像は、アプリケーションプログラムで生成された画像、チューナ・復調部２０２を介して受信したコンテンツの画像や映像、通信Ｉ／Ｆ２１２を介して外部ネットワーク１０５上のコンテンツ配信サーバ１０６から受信した画像や映像、通信Ｉ／Ｆ２１２を介して無線端末１０２，１０３から受信した画像や映像のいずれも可能である。
【００８０】
ここでは、テレビ受信機を使用する例を説明するが、表示部やスピーカを省略したレコーダを用いて、外部接続されたテレビ受信機やディスプレイ、スピーカに同様の映像音声を提示させる構成にしてもよい。
【００８１】
また、テレビ受信機１０１は、ＳＴＢ（セットトップボックス）やレコーダなどで代替することも可能であり、その場合には、図２のテレビ受信機の構成からスピーカ２０６や表示部２１０を省略することも可能である。
【００８２】
また、前述した通信Ｉ／Ｆを備えたモニタ装置、大型タブレット端末、または電子黒板などでも本実施の形態を実施することも可能である。その場合は、図２のテレビ受信機の構成からアンテナ２０１、チューナ・復調部２０２、選局制御部２０３、および信号分離部２０４を省略することも可能である。
〈無線端末のハードウェア構成〉
【００８３】
続いて、無線端末１０２の構成について説明する。
【００８４】
図３は、図１のネットワーク端末システムが有する無線端末１０２における構成の一例を示す説明図である。
【００８５】
この図３では、無線端末１０２の構成について説明するが、無線端末１０３の各部の構成は、無線端末１０２と同様のため説明を省略する。
【００８６】
無線端末１０２は、チューナ・復調部３０１、信号分離部３０２、メモリ３０３、ストレージ３０４、加速度センサ部３０５、地磁気センサ部３０６、制御部３０７、表示部３０８、通信Ｉ／Ｆ３０９、移動体通信Ｉ／Ｆ３１０、入力部３１１、ＧＰＳ受信部３１２、ジャイロセンサ部３１３を有する。これらの機能ブロックは、バス３１４を介してそれぞれ接続されている。
【００８７】
無線端末１０２は、アプリケーションプログラムをストレージ３０４に格納しており、制御部３０７がストレージ３０４からアプリケーションプログラムをメモリ３０３に展開し、制御部３０７が該アプリケーションプログラムを実行することによって各種機能を実現する。
【００８８】
以後の説明では簡単のために、制御部３０７が各アプリケーションプログラムを実行して実現する各種機能を、メモリ３０３に展開された「各種プログラム機能部」が主体となって実現するものとして説明する。
【００８９】
アプリケーションプログラムは、無線端末１０２が出荷時点で予めストレージ３０４に格納されていてもよい。あるいは、ＣＤ（Ｃｏｍｐａｃｔ  Ｄｉｓｋ）・ＤＶＤ（Ｄｉｇｉｔａｌ  Ｖｅｒｓａｔｉｌｅ  Ｄｉｓｋ）などの光学メディアや半導体メモリなどの媒体に格納されて、図示しない媒体接続部を介して無線端末１０２にインストールされてもよい。
【００９０】
また、通信Ｉ／Ｆ３０９および無線ルータ１０４を介して外部ネットワーク１０５からダウンロードしてインストールしてもよい。若しくは移動体通信Ｉ／Ｆ３１０を介して配信元である基地局１０８からダウンロードしてインストールしてもよい。
【００９１】
さらに、ネットワークを介してアプリケーションプログラムを取得したパーソナルコンピュータに図示しない外部機器接続Ｉ／Ｆを介して接続し、該パーソナルコンピュータから無線端末１０２にムーブまたはコピーしてインストールすることも可能である。
【００９２】
なお、アプリケーションプログラムによる各種機能は、同様の機能を持つ処理部としてハードウェアで実現することも可能である。ハードウェアとして実現する場合は、各処理部が主体となって各機能を実現する。
【００９３】
チューナ・復調部３０１と信号分離部３０２とは、それぞれ図２に示すチューナ・復調部２０２と信号分離部２０４と同等の働きを持つ。これらの機能は既に説明したので説明を省略する。
【００９４】
送信部および受信部となる通信Ｉ／Ｆ３０９は、無線ＬＡＮなどにより、図１の無線ルータ１０４を介して図２のテレビ受信機１０１の通信Ｉ／Ｆ２１２と各種情報の送受信を行う。また、通信Ｉ／Ｆ３０９は、無線ルータ１０４を介して外部ネットワーク１０５と接続され、外部ネットワーク１０５上のコンテンツ配信サーバ１０６などと各種情報の送受信を行う。
【００９５】
例えば、前述したテレビ受信機１０１と同様に外部ネットワーク１０５と接続されたコンテンツ配信サーバ１０６などから、ＩＰ放送やビデオオンデマンドなどの形態で映像音声ストリームなどのコンテンツストリームを受信することが可能である。
【００９６】
また、外部ネットワーク１０５と接続されたコンテンツ配信サーバ１０６などから映像ストリームやアプリケーションプログラムをダウンロードすることも可能である。ダウンロードしたデータまたは情報は、例えばストレージ３０４に格納される。
【００９７】
無線ルータ１０４との通信機能に加えて、またはこれに替えて、Ｗｉ−Ｆｉなどの無線ＬＡＮや、ＩｒＤＡ、Ｂｌｕｅｔｏｏｔｈ、ＮＦＣなどの技術により、無線ルータ１０４を介さずにテレビ受信機１０１または他の機器と直接通信することが可能である。
【００９８】
通信Ｉ／Ｆ３０９は、異なる通信方式を行うチップをそれぞれ実装してもよい。あるいは、複数の通信方式を扱う１つのチップとして実装されていてもよい。
【００９９】
移動体通信Ｉ／Ｆ３１０は、第３世代移動通信システム（以下「３Ｇ」と表記する）、またはＬＴＥ（Long Term Evolution）方式などの移動体通信網を利用して基地局１０８を通して通信ネットワークに接続され、通信ネットワーク上のサーバと情報の送受信を行うことができる。
【０１００】
第３世代移動通信システムは、例えばＧＳＭ（Global System for Mobile Communications）方式、Ｗ−ＣＤＭＡ（Wideband Code Division Multiple Access）方式やＣＤＭＡ２０００方式、ＵＭＴＳ（Universal Mobile Telecommunications System）方式などである。
【０１０１】
制御部３０７は、入力部３１１を介してユーザの操作要求を受け取り、信号分離部３０２、各種プログラム機能部であるメモリ３０３、表示部３０８、通信Ｉ／Ｆ３０９を制御する。
【０１０２】
また、制御部３０７は、通信Ｉ／Ｆ３０９および無線ルータ１０４を経由して外部ネットワーク１０５から、または移動体通信IＩ／Ｆ３１０および基地局１０８を経由して通信ネットワークから、各種情報、コンテンツまたはアプリケーションプログラムを取得でき、各種プログラム機能部に渡す機能も有する。
【０１０３】
ストレージ３０４は、アプリケーションプログラムや、アプリケーションプログラムで作成した各種情報を保存する。また、チューナ・復調部３０１、通信Ｉ／Ｆ３０９、または移動体通信Ｉ／Ｆ３１０から受信した信号から映像音声ストリームなどのコンテンツを保存することができる。
【０１０４】
メモリ３０３は、制御部３０７の制御により、ストレージ３０４に格納しているアプリケーションプログラムの機能部が展開される。第２の表示部である表示部３０８は、ストレージ３０４に格納された画像や映像、放送・配信された映像、各種操作をするためのＵＩやブラウザなどを表示する。表示部３０８は、例えば後述するタッチパネルなどと一体として構成されてもよい。
【０１０５】
表示する画像、映像は、アプリケーションプログラムで生成された画像、チューナ・復調部３０１を介して受信したコンテンツの画像や映像、通信Ｉ／Ｆ３０９を介して外部ネットワーク１０５上のコンテンツ配信サーバ１０６から受信した画像や映像などである。あるいは、通信Ｉ／Ｆ３０９を介してテレビ受信機１０１から受信した画像や映像、移動体通信Ｉ／Ｆ３１０を介して通信ネットワーク上のサーバから配信された画像や映像なども可能である。
【０１０６】
入力部３１１は、ユーザからの無線端末１０２に対する入力操作を受け付ける入力デバイスであり、例えば物理的なボタンやタッチパネルなどを用いることができる。以下では、タッチパネルを使用した例について説明するが、各種操作は、物理的なボタンを用いる構成でもよい。
【０１０７】
タッチパネルを使用することにより、ドラッグ操作またフリック操作によって例えばアイコンなどのオブジェクトなどを自由に移動したりすることができる。ドラッグ操作は、タッチパネル上の任意のオブジェクトを指でタッチした状態で移動する操作である。フリック操作は、画面上で指をはじくようにして動かす操作である。
【０１０８】
また、オブジェクトなどを指で１回叩く操作（タップ操作）または２回叩く操作（ダブルタップ操作）を行うと、アイコンアンドのオブジェクトを活性化したり、別の画面に切り替えたりすることができる。以下、上述のタッチパネルの各操作をドラッグ操作、フリック操作、タップ操作と称して説明する。
【０１０９】
加速度センサ部３０５は、無線端末１０２にかかる加速度を測定する。制御部３０７は、例えば加速度センサ部３０５により重力加速度を測定する。重力加速度を測定することによって、無線端末１０２のどの部分が上方であるのかを知ることができる。
【０１１０】
その結果、表示部３０８に表示させる画面の上方を加速度センサ部３０５が測定した上方と合わせるように表示させることができ、ユーザによる無線端末１０２の持ち方に合わせた画面を表示させることができる。
【０１１１】
地磁気センサ部３０６は、複数の磁気センサを利用するなどして地磁気を測定する。ＧＰＳ受信部３１２は、ＧＰＳ（Global Positioning System）を利用して複数の衛星から送信される信号を受信する。
【０１１２】
制御部３０７は、ＧＰＳ受信部３１２が受信した信号に基づいて、無線端末１０２の位置情報を計算することができる。ジャイロセンサ部３１３は、無線端末１０２をユーザが動かした場合などに発生する無線端末１０２の角速度を測定する。
【０１１３】
〈コンテンツ配信サーバのハードウェア構成〉
【０１１４】
図４は、図１のネットワーク端末システムが有するコンテンツ配信サーバ１０６の構成の一例を示す説明図である。
【０１１５】
コンテンツ配信サーバ１０６は、通信Ｉ／Ｆ４０１、制御部４０２、メモリ４０３、およびストレージ４０４から構成されている。これらの機能ブロックは、バス４０８を介してそれぞれ接続されている。
【０１１６】
コンテンツ配信サーバ１０６は、アプリケーションプログラムをストレージ４０４に格納しており、制御部４０２がストレージ４０４からアプリケーションプログラムをメモリ４０３に展開し、制御部４０２がアプリケーションプログラムを実行することで各種機能を実現することができる。
【０１１７】
以下の説明では簡単のために、制御部４０２が各アプリケーションプログラムを実行して実現する各種機能を、メモリ４０３に展開された「各種プログラム機能部」が主体となって実現するものとして説明する。
【０１１８】
通信Ｉ／Ｆ４０１は、外部ネットワーク１０５に接続され、外部ネットワーク１０５を経由して無線ルータ１０４に接続され、テレビ受信機１０１の通信ＩＦ２１２、無線端末１０２または無線端末１０３の通信Ｉ／Ｆ３０９と各種情報の送受信を行う。
【０１１９】
また、通信Ｉ／Ｆ４０１は、基地局１０８を経由して通信ネットワークから無線端末１０２または無線端末１０３の移動体通信Ｉ／Ｆ３１０と各種情報の送受信を行うことができる。
【０１２０】
制御部４０２は、通信Ｉ／Ｆ４０１、メモリ４０３、ストレージ４０４を制御する。また、制御部４０２は、ストレージ４０４のコンテンツ４０５に蓄積されたコンテンツを通信Ｉ／Ｆ４０１、外部ネットワーク１０５または基地局１０８を介してテレビ受信機１０１、無線端末１０２または無線端末１０３に渡す機能も有する。
【０１２１】
ストレージ４０４は、アプリケーションプログラムや、アプリケーションプログラムで作成した各種情報を保存する。また、コンテンツ４０５、機器認証情報４０６およびユーザ認証情報４０７などを蓄積する機能も持つ。
【０１２２】
各種プログラム機能部であるメモリ４０３は、制御部４０２の制御により、ストレージ４０４に格納されているアプリケーションプログラムの機能部が展開される。
【０１２３】
〈テレビ受信機のソフトウェア構成例〉
【０１２４】
図５は、図２のテレビ受信機１０１が有するメモリ２１５およびストレージ２１６における構成の一例を示す説明図である。
【０１２５】
図５において、ストレージ２１６は、接続機器認証プログラム５１１、ブラウザプログラム５１２、コンテンツ再生プログラム５１３、各種アプリケーションプログラム５１４、アカウント管理プログラム５１５、およびコンテンツ・アプリ同期処理プログラム５１６を格納している。
【０１２６】
これらのプログラムは、制御部２１４によってメモリ２１５に展開され、制御部２１４が展開されたプログラムを実行することによってブラウザエンジン５０２、接続機器認証部５０１、コンテンツ再生部５０７、各種アプリケーション部５０８、アカウント管理部５０９、およびコンテンツ・アプリ同期処理部５１０としての機能を実現する。
【０１２７】
接続機器認証プログラム５１１、ブラウザプログラム５１２、コンテンツ再生プログラム５１３、各種アプリケーションプログラム５１４、アカウント管理プログラム５１５、およびコンテンツ・アプリ同期処理プログラム５１６）は、製品の出荷時点でストレージ２１６に格納しておく。あるいは、通信Ｉ／Ｆ２１２を介してダウンロードしてもよい。
【０１２８】
制御部２１４は、これらのプログラムを実行して各種機能を実現するが、以下の説明では、説明を簡単にするため、メモリ２１５内の各機能部が主体となって各種機能を実現するものとして説明する。
【０１２９】
ブラウザエンジン５０２は、ＨＴＭＬパーサ５０３、データベース生成部５０４、レンダリング部５０５、および画像処理部５０６の各機能ブロックから構成されている。
【０１３０】
ＨＴＭＬパーサ５０３は、制御部２１４を介して取得したＨＴＭＬ（HyperText Markup Language）データの論理的な構造を解析する。また、取得したＨＴＭＬデータを解釈し、テレビ受信機１０１にて使用する内部データへ変換する。
【０１３１】
データベース生成部５０４は、そのＨＴＭＬデータ構造に関するデータベースを生成する。 レンダリング部５０５は、データベースに基づいて各タグで決められた表現形式の情報を含むレイアウト構造を生成し、このレイアウト構造を基に、大きさ、位置、画像を取り込んだデータの通りにブラウザ表示画面を生成する。
【０１３２】
画像処理部５０６は、ＨＴＭＬデータに画像タグで指定された画像ファイルの配置および画像ファイル名などの画像ファイル情報に基づいて、取得した画像ファイルをビットマップ形式などの画像データに変換する。
【０１３３】
接続機器認証部５０１は、テレビ受信機１０１のストレージ２１６の各種データから取得したユーザＩＤおよびパスワードなどの認証情報と、無線端末１０２または無線端末１０３の接続機器認証部６０１から送信された認証情報とを比較し、機器認証情報が一致する場合は、無線端末１０２の接続機器認証部６０１に対して接続を許可する。一方、認証情報が誤っている場合には、無線端末１０２の接続機器認証部６０１からの接続を認証しない。
【０１３４】
テレビ受信機１０１のストレージ２１６の各種データに記憶される認証情報は、ユーザによる入力部２１３を用いた入力によって、あるいはテレビ受信機１０１の工場出荷前などに予め設定される。
【０１３５】
また、上記の認証情報は、ユーザによる操作によって表示部２１０に表示させたり、テレビ受信機１０１の購入時に添付された書類などによってユーザが確認したりできるものとする。また、無線端末１０２または無線端末１０３のユーザ名とＭＡＣアドレスを接続機器の認証情報として、テレビ受信機１０１のストレージ２１６や図示しない不揮発性メモリなどに格納してもよい。
【０１３６】
上記は認証方法の一例であり、例えば無線ＬＡＮでテレビ受信機１０１と、無線端末１０２または無線端末１０３を接続する場合には、ＳＳＩＤ（Service Set Identifier）とＷＥＰ（Wired Equivalent Privacy）キーまたはＷＰＳ（Wi-Fi Protected Setup）キーを用いた認証・暗号化方法を用いることができる。  認証の方法や認証成功時に送受信する情報の暗号化の方法などは公知の技術を用いればよく、特に限定をしない。
【０１３７】
また、無線端末の操作により、テレビ受信機１０１側でコンテンツ配信サーバ１０６からコンテンツの配信を受け視聴する場合、接続機器認証部５０１は、各種データに記憶された認証情報を、通信Ｉ／Ｆ２１２、無線ルータ１０４を経由してコンテンツ配信サーバ１０６のユーザ管理部７０１に対して送信する機能を持つ。
【０１３８】
このとき、コンテンツ配信サーバ１０６に送信する機器認証情報は、無線端末１０２または無線端末１０３のユーザプロファイル生成部６０９にて生成されたユーザプロファイル情報のユーザ情報と関連付けされる。また、コンテンツ配信サーバ１０６が認識可能な情報として別々に管理することもできる。
【０１３９】
コンテンツ再生部５０７は、外部ネットワーク１０５を介して、コンテンツ配信サーバ１０６から配信される例えば映画やドラマなどのコンテンツのデータやコンテンツ情報を受信し、逐次受信した映像や音声などを再生することでユーザに提示する。
【０１４０】
ここでは、ストリーミングによるコンテンツの配信および再生の場合について説明するが、後述するようにサーバからコンテンツのデータを予めすべて取得して蓄積しておき、蓄積完了後に視聴再生を行うダウンロードサービスであってもよい。この場合は、コンテンツデータは、ストレージ２１６のコンテンツ５１７に格納される。
【０１４１】
コンテンツの再生停止位置の情報は、ストレージ２１６の各種データにレジューム情報として記憶することができ、同一ユーザによる同一コンテンツの再生を再開する場合には、レジューム情報から再生停止した位置データを取得して再生開始位置とすることができる。レジューム情報は、無線端末１０２，１０３から取得したユーザプロファイル情報を参照してユーザ毎に設定される。
【０１４２】
各種アプリケーション部５０８は、ブラウザエンジン５０２、コンテンツ再生部５０７など図５に示すアプリケーション以外に、ユーザが好みに合わせてコンテンツ配信サーバ１０６からダウンロードを行ったアプリケーションを示す。各アプリケーションは、入力部２１３によりユーザからの操作を受け、表示部２１０に表示されたアプリケーション起動用アイコンのタップ操作により起動する。
【０１４３】
アカウント管理部５０９は、接続機器認証部５０１により無線端末１０２または無線端末１０３の認証が完了すると、認証された無線端末１０２または無線端末１０３を認証済みのユーザカウントとして設定する。
【０１４４】
また、無線端末１０２または無線端末１０３において生成されたユーザプロファイル情報を取得すると、それを基にしてユーザカウントとユーザプロファイルとをユーザＩＤ毎に関連付けて登録し、管理する。
【０１４５】
また、アカウント管理部５０９は、同時に複数のユーザカウントを受け付けることができ、またそれぞれを独立して管理することができる。各ユーザカウントに対して、同時動作が可能な場合は操作を許可し、同時動作が不可能で排他的な動作をしなければならない場合は、先に使用しているユーザの無線端末に対して、そのユーザ情報を後からのユーザの無線端末に対して送信し、テレビ受信機１０１の使用権の譲り受けや残りの使用時間などの問合せが可能となっている。
【０１４６】
コンテンツ・アプリ同期処理部５１０は、各無線端末のユーザプロファイルを参照して無線端末１０２または無線端末１０３にダウンロードされたアプリケーションの種類とテレビ受信機１０１にダウンロードされたアプリケーションとを比較し、後述する機器種別情報により整合性を確認する。
【０１４７】
そして、不足しているアプリケーションがある場合は、対応するアプリケーションをダウンロードすることにより、無線端末とテレビ受信機のアプリケーションを同期することができる。
【０１４８】
また、ダウンロードコンテンツについても、上記と同様にダウンロードすることにより、無線端末とテレビ受信機のアプリケーションを同期することができる。また、アプリケーションやコンテンツをダウンロードする場合は、表示部２１０に確認のためのメッセージを表示することができ、入力部２１３によりダウンロードの可否を選択するようにしてもよい。
〈無線端末のソフトウェア構成例〉
【０１４９】
図６は、図３の無線端末１０２，１０３が有するメモリ３０３およびストレージ３０４における構成の一例を示す説明図である。
【０１５０】
ストレージ３０４は、図６に示すように、機器認証プログラム６１０、ブラウザプログラム６１１、コンテンツ再生プログラム６１２、各種アプリケーションプログラム６１３、およびユーザプロファイル生成プログラム６１４を格納している。
【０１５１】
これらのプログラムは、制御部３０７によりメモリ３０３に展開され、該制御部３０７がプログラムを実行することによって、接続機器認証部６０１、ブラウザエンジン６０２、コンテンツ再生部６０７、各種アプリケーション部６０８、およびユーザプロファイル生成部６０９として機能を実現する。
【０１５２】
機器認証プログラム６１０、ブラウザプログラム６１１、コンテンツ再生プログラム６１２、各種アプリケーションプログラム６１３、およびユーザプロファイル生成プログラム６１４は、製品の出荷時点でストレージ３０４に格納する。あるいは、通信Ｉ／Ｆ３０９または移動体通信Ｉ／Ｆ３１０を介してダウンロードしてもよい。
【０１５３】
制御部３０７は、これらのプログラムを実行して各種機能を実現するが、以後の説明では、メモリ３０３内のプログラム機能部が主体となって実現するものとして説明する。
【０１５４】
ブラウザエンジン６０２は、テレビ受信機１０１のブラウザエンジン５０２と同様に、ＨＴＭＬパーサ６０３、データベース生成部６０４、レンダリング部６０５、画像処理部６０６の各機能ブロックから構成されている。
【０１５５】
ＨＴＭＬパーサ６０３、データベース生成部６０４、レンダリング部６０５、および画像処理部６０６の説明は、図５のブラウザエンジン５０２と同様のため、詳細の説明は省略する。
【０１５６】
接続機器認証部６０１は、テレビ受信機１０１からの認証を受けるために、ユーザによる入力部３１１を用いた入力によって予め各種データに記憶された接続機器の認証情報を、通信Ｉ／Ｆ３０９、無線ルータ１０４を経由して、テレビ受信機１０１の接続機器認証部５０１に対して送信する。２回目以降に認証を行う場合は、ストレージ３０４の各種データに記憶された接続機器の認証情報を参照することにより認証情報の入力を省略することもできる。
【０１５７】
また、接続機器認証部６０１は、各種データに記憶された認証情報をコンテンツの配信先の認証情報として、通信Ｉ／Ｆ３０９または移動体通信Ｉ／Ｆ３１０を経由して後述するコンテンツ配信サーバ１０６のユーザ管理部７０１に対して送信する機能を持つ。
【０１５８】
認証情報は、ユーザプロファイル生成部６０９にて生成されたユーザプロファイル情報のユーザ情報と関連付けされた、コンテンツ配信サーバ１０６が認識可能な情報としてユーザプロファイル情報とは別に管理することもできる。
【０１５９】
コンテンツ再生部９０７は、外部ネットワーク１０５または移動体通信Ｉ／Ｆ３１０を介して、コンテンツ配信サーバ１０６などから配信される例えば映画やドラマなどのコンテンツのデータやコンテンツ情報を受信し、逐次受信した映像や音声などを再生することでユーザに提示する。
【０１６０】
ここでは、ストリーミングによるコンテンツの配信および再生の場合について説明するが、後述する実施例のようにサーバからコンテンツのデータを予めすべて取得して蓄積しておき、蓄積完了後に視聴再生を行うダウンロードサービスであってもよい。その場合は、コンテンツデータは、ストレージ３０４のコンテンツ６１５に格納される。
【０１６１】
また、コンテンツの再生停止位置の情報は、ストレージ３０４の各種データにレジューム情報として記憶することができ、同一コンテンツの再生を再開する場合にレジューム情報から再生停止した位置データを取得し再生開始位置とすることができる。レジューム情報は、ユーザプロファイル情報にも保存することができる。
【０１６２】
各種アプリケーション部６０８は、ブラウザエンジン６０２およびコンテンツ再生部６０７などのアプリケーション以外に、ユーザが好みに合わせてコンテンツ配信サーバ１０６からダウンロードを行ったアプリケーションを示す。
【０１６３】
各アプリケーションは、入力部３１１によりユーザからの操作を受け、表示部２１０に表示されたアプリケーション起動用アイコンのタップ操作により起動する。
【０１６４】
ユーザプロファイル生成部６０９は、接続機器からの認証を受けるためのユーザ認証情報やメニューなどのユーザが好みに応じて設定した情報、さらに購入時に実装されていたものやダウンロードにより購入などにより入手したアプリケーションのタイトルなどの情報をユーザプロファイル情報として生成する機能を持つ。ユーザにより変更された設定状態や新たに購入したアプリケーションなどの情報は、最新状態に更新される。
〈サーバのソフトウェア構成例〉
【０１６５】
図７は、図４のコンテンツ配信サーバ１０６が有するメモリ４０３およびストレージ４０４における構成の一例を示す説明図である。
【０１６６】
ストレージ４０４は、図７に示すように、ユーザ管理プログラム７０４、コンテンツ管理プログラム７０５、およびコンテンツ配信プログラム７０６を格納している。
【０１６７】
これらのプログラムは、制御部４０２によりメモリ４０３に展開され、該制御部４０２がプログラムを実行することでユーザ管理部７０１、コンテンツ管理部７０２、およびコンテンツ配信部７０３としての機能を実現する。
【０１６８】
ユーザ管理プログラム７０４、コンテンツ管理プログラム７０５、およびコンテンツ配信プログラム７０６は、予めストレージ４０４などに格納することができる。制御部４０２は、これらのプログラムに従って各種機能を実現するが、以下の説明では、説明を簡単にするため、メモリ４０３内の各機能部が主体となってそれぞれの機能を実現するものとして説明する。
【０１６９】
ユーザ管理部７０１は、ユーザ毎に認証を行うためのユーザ認証情報およびユーザが所有する機器を認証するための機器認証情報などを管理する。ユーザ認証情報および機器認証情報は、それぞれストレージ４０４のユーザ認証情報４０７および機器認証情報４０６に保存される。
【０１７０】
ユーザ管理部７０１は、通信Ｉ／Ｆ４０１、外部ネットワーク１０５を通して無線端末１０２やテレビ受信機１０１のユーザにより入力部２１３または入力部３１１を用いた入力によって入力されたユーザ名およびパスワードのユーザ認証情報と、ユーザが使用する機器の機器認証情報を取得する。
【０１７１】
そして、予め記憶されているユーザ認証情報と照合することによって正規の登録ユーザであるかどうか、また、ユーザが所有する機器がサービス事業者により許可された同一ユーザの機器台数内であるかどうかを確認する。もし、ユーザ認証情報が正しくなかったり、許可された機器台数を超えたりしているような場合は、エラー情報を返信する機能を持つ。
【０１７２】
コンテンツ管理部７０２は、コンテンツまたはアプリケーションデータ、およびこれらに付随する情報から構成されているコンテンツ情報またはアプリケーション情報を管理する。
【０１７３】
動画などのコンテンツ情報は、コンテンツを一意に識別するための管理番号であるコンテンツＩＤ、コンテンツフォーマット、コンテンツ説明情報、コンテンツデータ、およびコンテンツのサイズや表示に適する装置の対象、コンテンツの配信サービスあるいは配信されたコンテンツを再生視聴したことにより発生する料金、視聴期間などを記録する。コンテンツ説明情報は、例えばジャンルタイトル、出演者、および内容などである。
【０１７４】
また、アプリケーション情報は、アプリケーションを一意に識別するための管理番号であるアプリケーションＩＤ、アプリケーション説明情報、アプリケーションのサイズや表示に適する装置の対象、およびアプリケーションをダウンロードしたことにより発生する料金などを記録する。
【０１７５】
なお、これら各種情報は、ハードディスクなどの記録メディアを用いて記録され、コンテンツ管理部７０２が管理するメモリ上に読み込まれてもよい。また、コンテンツまたはアプリケーションデータと、コンテンツまたはアプリケーションデータを説明するデータを、例えばメタデータなどとしていくつかに分けて管理してもよい。
【０１７６】
インターネットなどの通信経路にて悪意の第３者から保護するためにＲＳＡ暗号技術などを用いて暗号化されたコンテンツを解読して再生するための鍵情報を管理するようにしてもよい。なお、これら各種情報は、ハードディスクなどの記録メディアを用いて記録され、コンテンツ管理部７０２が管理するメモリ上に読み込まれてもよい。
【０１７７】
コンテンツ配信部７０３は、通信Ｉ／Ｆ４０１、外部ネットワーク１０５を通して無線端末１０２，１０３やテレビ受信機１０１などの機器からの配信要求に基づき、ストレージ４０４のコンテンツ４０５に蓄積された動画などのコンテンツを接続機器の表示性能に合わせて配信制御を行うことができる。
【０１７８】
コンテンツ４０５は、内容が同じ複数の解像度のコンテンツを有しており、配信時の機器認証情報により表示性能に合わせたコンテンツを配信する。なお、高画質（ＨＤ）のみのコンテンツを蓄積しておいて、配信時に表示性能に合わせて適宜ダウンコンバートして配信するようにしてもよい。
〈データ形式例〉
【０１７９】
図８は、図６のユーザプロファイル生成部６０９により管理されるユーザプロファイル情報の一例を示すデータテーブルである。
【０１８０】
図８（ａ）は、無線端末１０２のユーザプロファイル生成部６０９にて管理されるユーザプロファイル情報を示しており、 図８（ｂ）は、無線端末１０３のユーザプロファイル生成部６０９にて管理されるユーザプロファイル情報を示している。
【０１８１】
ユーザプロファイル情報は、図８（ａ），（ｂ）に示すように、管理番号であるユーザＩＤ８０１、パスワード８０２、一意のユーザ名８０３、設定パラメータ８０４、アプリケーション種別８０５、ダウンロードコンテンツ８０６、および機器種別情報８０７などからなる。
【０１８２】
ユーザＩＤ８０１およびパスワード８０２は、コンテンツ配信サーバ１０６からコンテンツの配信を受けるときの認証情報である。また、本実施の形態では、ユーザプロファイル情報に認証情報を含めているが、セキュリティなどの関係で認証情報をユーザプロファイル情報に含めないようにもできる。
【０１８３】
ユーザ名８０３は、コンテンツ配信サーバ１０６にログインする際に用いるためのユーザごとに一意の情報である。図８（ａ），（Ｂ）に示した例では、無線端末１０２である無線端末Ａに関連付けられたユーザ名は「T.Matsu」であり、無線端末１０３である無線端末Ｂに関連付けられたユーザ名は「M.Kage」であることを示している。
【０１８４】
設定パラメータ８０４は、メニューなどのユーザが好みに応じて設定した情報を含む。アプリケーション種別８０５は、購入時に実装されていたものやダウンロード購入などにより入手したアプリケーションのタイトルを含む。
【０１８５】
ダウンロードコンテンツ８０６は、ダウンロード購入などにより入手したコンテンツを識別するためのタイトルなどを含む。機器種別情報８０７は、携帯端末やタブレットなどの種別、使用しているＯＳなどのアプリケーション、およびコンテンツ再生時の互換性を表す情報であり、ユーザエージェントを利用してもよい。ユーザエージェントとは、利用者があるプロトコルに基づいてデータを利用する際に用いるソフトウェアまたはハードウェアである。
【０１８６】
また、本実施の形態では、ユーザＩＤおよびパスワードによるユーザ認証を前提に説明するが、指静脈や指紋、音声、顔画像、あるいは虹彩などの一般的生体認証などであってもよく、その場合には適宜ユーザ認証情報の項目が変わる。
【０１８７】
図９は、図４のユーザ認証情報４０７および機器認証情報４０６の内容例を示すデータテーブルである。
【０１８８】
図９（ａ）は、コンテンツ配信サーバ１０６のユーザ管理部７０１にて管理されるユーザ認証情報４０７のデータテーブルであり、図９（ｂ）は、コンテンツ配信サーバ１０６のユーザ管理部７０１にて管理される機器認証情報４０６のデータテーブルである。
【０１８９】
図９（ａ）において、ユーザ管理部７０１にて管理するユーザ認証情報４０７には、管理番号であるユーザＩＤ８０１、パスワード８０２、一意のユーザ名８０３、氏名、住所および連絡先などが記憶されている。
【０１９０】
本実施の形態では、パスワードによるユーザ認証を前提に説明するが、指静脈や指紋、音声、顔画像、虹彩などの一般的生体認証などであってもよく、その場合には適宜ユーザ認証情報の項目が変わる。ユーザ認証情報は、テレビ受信機１０１または無線端末１０２などの機器からコンテンツ配信サービスにログインするときのログイン情報として使用される。
【０１９１】
続いて、図９（ｂ）において、コンテンツ配信サーバ１０６のユーザ管理部７０１にて管理される機器認証情報４０６は、管理番号であるユーザＩＤ８０１、パスワード８０２、ユーザが利用する機器を示す機器ＩＤ９０１、および機種名などが含まれている。機器認証情報４０６は、機器を一意に識別するための情報であり、事前にユーザがコンテンツ配信サービス事業者に登録しているものとする。
【０１９２】
また、図９では、ユーザＩＤ８０１が「00000101」のユーザについては、機器ＩＤ９０１に示す機器を２台所有していることを示しており、テレビ受信機１０１を示す（AB-C1000）と無線端末１０２を示す（DF-2000F）が機器登録されているものとする。
【０１９３】
同様に、ユーザＩＤ８０１が「00000102」のユーザについては、無線端末１０３を示す（GH-10000）が機器登録されているものとする。パスワード８０２は、ユーザ認証情報のパスワードと異なるものを使用してもよい。
【０１９４】
機器ＩＤ９０１は、ＭＡＣ（Media Access Control）アドレスなどの機器固有の情報を使用することもできる。さらに、再生可能なコンテンツの種類の区別、映像処理能力のリソース情報などをあらかじめ機器ＩＤと関連付けてデータベースとして蓄積しておくこともできる。
【０１９５】
〈ネットワーク端末システムの動作例〉
【０１９６】
次に、本実施の形態におけるネットワーク端末システムの動作について、図１０〜図２１を用いて説明する。ここでは、無線端末１０２，１０３は、操作端末として用いられ、コンテンツ配信サーバ１０６からテレビ受信機１０１にコンテンツを配信して該テレビ受信機１０１にコンテンツを表示させる動作について説明する。
【０１９７】
図１０は、図１のネットワーク端末システムが有する無線端末１０２およびテレビ受信機１０１による処理の一例を示すフローチャートである。この図１０は、無線端末１０２がテレビ受信機１０１に接続する際の無線端末１０２とテレビ受信機１０１との情報のやり取りの例を示している。
【０１９８】
また、図１１は、図１のネットワーク端末システムが有する無線端末１０２の表示の一例を示す説明図である。図１１（ａ）は、無線端末１０２のメニュー画面の表示例を示しており、図１１（ｂ）は、無線端末１０２の接続機器一覧表示画面の表示例を示している。
【０１９９】
まず、図１０において、図１１（ａ）のメニュー画面１１０１に表示されるＴＶ操作Ａｐｐ１１０２をタップ操作すると、無線端末１０２の各種アプリケーション部６０８は、入力部３１１によりアプリの起動の指令を受け、「ＴＶ操作Ａｐｐ」アプリを起動する（ステップＳ１００１）。
【０２００】
「ＴＶ操作Ａｐｐ」アプリが起動すると、無線端末１０２の表示部３０８には、図１１（ｂ）に示すような機器一覧リスト１１０３が表示される（ステップＳ１００２）。図１１（ｂ）において、機器一覧リスト１１０３には、ネットワークに接続されている機器が見つかった場合は、認証済みまたは未認証にかかわらず表示され、見つかった機器は、認証または未認証の情報と合わせてストレージ３０４に保存される。
【０２０１】
図１１（ｂ）の場合、機器一覧リスト１１０３には、例えば表示１１０６として「ＴＶ１  認証済」と表示１１０７として「テレビ接続しない」が表示されており、「ＴＶ１」が認証済みの機器であることを示している。表示１１０７の「テレビ接続しない」は、機器との認証を行わずに、無線端末単体で使用する場合に選択するべき項目である。ここで、ＴＶ１は、テレビ受信機１０１を示す。
【０２０２】
無線端末１０２は、ネットワークに接続されている機器のうち、接続機器認証部５０１によって既に認証されている機器、すなわち、機器ＩＤが機器認証情報に登録されている機器については、図１１（ｂ）に示すように「認証済み」を表示し、認証されていない機器、即ち機器ＩＤが未登録の機器については「未認証」を表示する。
【０２０３】
図１１（ｂ）においては、無線端末１０２において「ＴＶ１  表示」が既に認証されている場合の表示例を示している。また、選択中の機器にはチェックマーク１１０５が表示され、ユーザはどの機器が選択中か判別できる。また、編集ボタン１１０４は、接続機器を削除したり接続機器を追加したりするためのボタンである。
【０２０４】
図１１（ｂ）において、入力部３１１によって接続する機器が選択されると、無線端末１０２の接続機器認証部６０１は、テレビ受信機１０１からの認証を受けるために、あらかじめ各種データに登録された接続機器認証情報を通信Ｉ／Ｆ３０９、通信Ｉ／Ｆ２１２を経由して、テレビ受信機１０１の接続機器認証部５０１に対して送信する（ステップＳ１００３）。ここでは、ステップＳ１００３の処理において、テレビ受信機１０１が選択された場合を例として説明する。
【０２０５】
テレビ受信機１０１の接続機器認証部５０１は、無線端末１０２から接続機器認証情報を受信すると、各種データに記憶された認証情報と無線端末１０２から送信された認証情報とを比較する。認証情報が一致する場合は（ステップＳ１００４：ＹＥＳ）、既に認証済みのユーザが存在するかどうか確認する（ステップＳ１００５）。
【０２０６】
認証済みのユーザが存在しない場合は（ステップＳ１００５：ＮＯ）、無線端末１０２に対して接続を許可する（ステップＳ１００６）。無線端末１０２の認証が完了すると、アカウント管理部５０９は、無線端末１０２を認証済みのユーザカウントとして設定する。
【０２０７】
もし、認証情報が一致しない場合は（ステップＳ１００４：ＮＯ）、無線端末１０２のユーザに対してエラーメッセージを送信する。認証情報が一致しない場合は、再入力を促すようなメッセージを表示してもよい。
【０２０８】
また、既に認証済みのユーザが存在する場合は（ステップＳ１００５：ＹＥＳ）、メッセージを送信して、先に認証済みの無線端末を優先し、無線端末１０２の使用を中止することができる。
【０２０９】
ここで、テレビ受信機１０１の電源が入っていないなどの理由で応答がない場合は、ステップＳ１００３処理にてテレビ受信機１０１の電源を起動するための電源オンのコマンドを付加して機器認証を再度行うこともできる。このような処理により、テレビ受信機１０１を遠隔操作で利用する機器を絞り込むことができ、セキュリティを高めることができる。また、前回と同一機器に接続する場合は、自動的に認証を行うことによりステップＳ１００２を省略することもできる。
【０２１０】
続いて、無線端末１０２は、ステップＳ１００６の処理にて接続許可が通知されると、無線端末１０２のユーザプロファイル生成部６０９は、無線端末１０２のユーザのプロファイル情報を生成して（ステップＳ１００７）、テレビ受信機１０１に対してプロファイル情報を送信する（ステップＳ１００８）。
【０２１１】
テレビ受信機１０１は、受信したプロファイル情報をステップＳ１００４の処理での認証済みのユーザカウントと関連付けてストレージ２１６の各種データに無線端末１０２のユーザプロファイル情報として保存する（ステップＳ１００９）。
【０２１２】
次に、無線端末１０２によりテレビ受信機１０１を操作した後に、無線端末１０２とテレビ受信機１０１の機器接続を終了する場合について説明する。
【０２１３】
無線端末１０２の表示部３０８に表示される図示しない「終了」ボタンをタップ操作すると、テレビ受信機１０１に対して機器接続終了を示す操作情報を送信する（ステップＳ１０１０）。テレビ受信機１０１は、無線端末１０２から取得したユーザプロファイル情報を消去し（ステップＳ１０１１）、無線端末１０２に対して機器接続終了を送信してログアウトする（ステップＳ１０１２）。
【０２１４】
ここで、ユーザプロファイル情報は、図８（ａ），（ｂ）で説明したように、ユーザＩＤ８０１やパスワード８０２のような認証情報とメニューなどの設定パラメータ情報８０４、お好みアプリであるアプリケーション種別８０５、お好みコンテンツであるダウンロードコンテンツ８０６、機器種別情報８０７などの情報を含んでいる。
【０２１５】
そして、これらの情報を無線端末１０２の機器認証情報と対応して独立して保存することにより、テレビ受信機１０１で継続使用する場合に設定状態、機器状態などを無線端末１０２と同一の状態で使用することができる。
【０２１６】
また、ステップＳ１００９の処理にて保存したプロファイル情報が、テレビ受信機１０１の操作の途中で変更になった場合にも、更新データを最新データとして保存することができる。更新されたプロファイル情報は、ステップＳ１０１０の処理にて機器接続を終了する前に無線端末１０２にインポートすることもできる。
【０２１７】
続いて、テレビ受信機１０１とコンテンツ配信サーバ１０６とがコンテンツの情報のやり取りを行い、テレビ受信機１０１においてコンテンツ一覧が表示される際の動作、およびコンテンツが表示される際の動作について、図１２を参照して説明する。
【０２１８】
図１２は、図１のネットワーク端末システムが有する無線端末１０２、テレビ受信機１０１、およびコンテンツ配信サーバ１０６による処理の一例を示すフローチャートである。
【０２１９】
この図１２は、無線端末１０２からプロファイル情報をテレビ受信機１０１に送信して保存する図１０のシーケンス（Ｓ１００１〜Ｓ１００９）に引き続き、新たにステップＳ１２０１〜ステップＳ１２１０の処理を追加したものである。
【０２２０】
テレビ受信機１０１は、無線端末１０２に対して該無線端末１０２の表示部３０８に操作画面を表示するための操作画面情報を送信する（ステップＳ１２０１）。無線端末１０２は、操作画面情報に基づいて、表示部３０８に図１３に示すような操作画面を表示する。図１３は、図１のネットワーク端末システムが有する無線端末１０２における操作画面の表示の一例を示す説明図である。
【０２２１】
図１３（ａ），（ｂ）に示すように、操作画面１３０１には、接続した機器に対応した操作ボタン１３０３，１３０４が表示される。接続機器表示１３０２は、現在接続されている機器を示している。
【０２２２】
また、操作画面１３０４を左右にフリック操作すると、操作ボタンの操作画面を切り換えることができる。図１３（ａ）において、左方向にフリックすると、図１３（ｂ）のような操作画面に切り換えることができる。また、逆の操作を行うことにより、図１３（ｂ）から図１３（ａ）の操作画面に戻すことができる。
【０２２３】
図１３では、２つの操作画面としているが、各機器に１つまたは複数の操作画面を持つこともできる。また、操作画面はお好みによりボタンの配置を変更したり、使用頻度の多い順に自動または手動で並べ替えたりすることもできる。また、三角マーク１３０５は、操作画面を終了するためのもので、三角マーク１３０５をタップ操作すると、操作画面３１０１を閉じて、図１１（ａ）に示すメニュー画面に戻すことができる。
【０２２４】
ここでは、ステップＳ１２０１の処理にて操作画面情報をテレビ受信機１０１から取得するようにしているが、無線端末１０２で予めダウンロードしたアプリケーションプログラムを実装すること操作画面情報の取得を省略するようにしてもよい。
【０２２５】
図１３（ｂ）において、無線端末１０２の入力部３１１により操作画面のＡｐｐメニューのボタン１３０６をタップ操作すると、テレビ受信機１０１に対してＡｐｐメニューのボタン１３０６の「操作情報（選択）」を送信する（ステップＳ１２０３）。
【０２２６】
テレビ受信機１０１の制御部２１４は、Ａｐｐメニューのボタン１３０６の「操作情報（選択）」を受信すると、図１０のステップＳ１００９の処理にて保存したユーザプロファイル情報を参照し、無線端末１０２のユーザ設定に基づいて、表示部２１０に図１４に示すようなＡｐｐメニュー画面１４０１を表示する。
【０２２７】
図１４は、図１のネットワーク端末システムが有するテレビ受信機１０１のＡｐｐメニュー画面の表示の一例を示す説明図である。
【０２２８】
ここで、図示はしていないが、図１０のステップＳ１００９の処理にて保存したユーザプロファイル情報に基づくＡｐｐメニューのアプリ起動用アイコンのオブジェクトが示すアプリケーションがテレビ受信機１０１のＡｐｐメニューに存在しない場合がある。
【０２２９】
この場合、コンテンツ・アプリ同期処理部５１０は、整合性があるアプリケーションを検索し、コンテンツ配信サーバ１０６からダウンロードすることにより、無線端末１０２とテレビ受信機１０１とでアプリケーションを同期することができる。
【０２３０】
次に、無線端末１０２の操作画面１３０１のカーソル／決定ボタン１３０７がタップ操作されると、ステップＳ１２０３の処理と同様に「操作情報（選択）」が送信され、テレビ受信機１０１は、受信した「操作情報（選択）」に基づき、例えばＡｐｐメニュー画面１４０１の中の「コンテンツ配信サービス」のアイコン１４０２が選択される（ステップＳ１２０４）。
【０２３１】
テレビ受信機１０１の各種アプリケーション部５０８は、ブラウザ起動の指令を受け、ブラウザエンジン５０２を起動する（ステップＳ１２０５）。ブラウザエンジン５０２は、図１０のステップＳ１００９の処理にて保存したユーザプロファイル情報を参照し、無線端末１０２で予め設定されたコンテンツ視聴ポータルのコンテンツ配信サーバ１０６にアクセスを行う。
【０２３２】
ここで、コンテンツ視聴ポータルのアドレスは、ユーザプロファイル情報の設定パラメータ内の例えば「お好み設定」などに予め設定されたアドレス一覧から選択するようにしてもよいし、最後にアクセスしたアドレスを保存しておいて、そのアドレスにアクセスするようにしてもよい。
【０２３３】
そして、ブラウザエンジン５０２は、ＨＴＴＰ（HyperText Transfer Protocol）に準拠したＷｅｂコンテンツなどのリソースを要求するリクエストメッセージを通信Ｉ／Ｆ２１２、および無線ルータ１０４を経由して、外部ネットワーク１０５からコンテンツ配信サーバ１０６に送信する。
【０２３４】
コンテンツ配信サーバ１０６は、受け取ったリクエストメッセージに応じたレスポンスメッセージを作成して返信する。返信されたレスポンスメッセージは、外部ネットワーク１０５を経由してブラウザエンジン５０２に入力される。
【０２３５】
レスポンスメッセージには、ＨＴＭＬ文書が埋め込まれている。ブラウザエンジン５０２のＨＴＭＬパーサ５０３、データベース生成部５０４、レンダリング部５０５、および画像処理部５０６が連動して、上記ＨＴＭＬ文書に基づいてブラウザ表示画面を生成し、表示部２１０にコンテンツ視聴ポータルのログイン画面を表示する（ステップＳ１２０６）。
【０２３６】
制御部２１４は、上記処理により表示されたログイン画面において、ステップＳ１２０３の処理と同様の操作情報により、入力されたユーザ名およびパスワードのログイン情報をブラウザエンジン５０２に通知し、受け取った文字列をリクエストメッセージとしてコンテンツ配信サーバ１０６に送信する（ステップＳ１２０７）。
【０２３７】
コンテンツ配信サーバ１０６は、ユーザ管理部７０１によりユーザ認証情報４０７に保存されたユーザ認証情報を参照し、正規の登録ユーザであればユーザを認証する（ステップＳ１２０６）。
【０２３８】
ここで、図１２では、ステップＳ１２０６の処理において、セキュリティなどの関係でユーザプロファイル情報にユーザの認証情報を含めないような選択をした場合として、ログイン画面を表示するようにしている。しかし、図１０のステップＳ１００９の処理にて保存したユーザプロファイル情報のユーザＩＤおよびパスワードを参照することにより、自動的に認証処理を行うようにすることもできる。この場合は、ステップＳ１２０６の処理を省略することができる。
【０２３９】
続いて、コンテンツ配信サーバ１０６のコンテンツ管理部７０２は、ステップＳ１２０８の処理の認証が完了すると、コンテンツ一覧情報をレスポンスメッセージとしてブラウザエンジン５０２に返信する（ステップＳ１２０９）。
【０２４０】
ここで送信されるコンテンツ一覧情報とは、コンテンツ管理部７０２において管理されているコンテンツの一覧を表示するための情報であり、管理されているコンテンツを識別するための情報が含まれる。
【０２４１】
ブラウザエンジン５０２は、コンテンツ管理部７０２からコンテンツ一覧情報を受信すると、そこに含まれる、コンテンツを一意に識別するためのコンテンツＩＤ、コンテンツ説明情報（ジャンルタイトル、出演者、内容など）、コンテンツの再生視聴時の料金、視聴期間などを参照し、表示部２１０に図１５に示すようなコンテンツ一覧表示画面を表示する（ステップＳ１２１０）。なお、コンテンツ説明情報は、ジャンルタイトル、出演者、および内容などである。
【０２４２】
図１５は、図１のネットワーク端末システムが有するテレビ受信機１０１のコンテンツ一覧表示画面における表示の一例を示す説明図である。
【０２４３】
図１５において、コンテンツタイトル表示１５０１には、コンテンツタイトル名、視聴料金、および視聴期間などが表示される。また、戻るのボタン１５０３は、タップ操作により上の階層に戻るためのボタンであり、一つ前のジャンル階層に戻ることができる。
【０２４４】
図１５では、映画のジャンルの内の邦画のボタン1504を選択していることを示している。終了のボタン１５０５は、タップ操作によりコンテンツ視聴を中止することを指示するための操作部である。
【０２４５】
図１５に示す画面において、無線端末１０２の操作情報によりコンテンツ一覧表示画面で視聴したいコンテンツのタイトル１５０２が選択されると、図１６に示すコンテンツ詳細表示画面１６０１が表示される。
【０２４６】
図１６は、図１のネットワーク端末システムが有するテレビ受信機１０１のコンテンツ詳細表示画面における表示の一例を示す説明図である。
【０２４７】
図１６において、コンテンツ詳細部１６０２には、タイトル、出演者、および内容詳細などが表示される。プレビューのボタン１６０４は、購入する前にコンテンツ内容の一部を確認するために、コンテンツの一部分の表示を指示すための操作部である。インデックス画面１６０３は、コンテンツの一場面を表す静止画像であり、プレビューのボタン１６０４を選択することにより、コンテンツの一部を動画表示することができる。
【０２４８】
購入のボタン１６０５ａ，１６０５ｂは、コンテンツを選択、購入するための操作部である。図１６では、ＨＤ（High Definition）画質、ＳＤ（Standard Definition）画質のコンテンツをそれぞれ選択して購入するために、それぞれに関連付けられた購入のボタン１６０５ａ，１６０５ｂが設けられている。戻るのボタン１６０６は、図１５のコンテンツ一覧表示画面に戻る、すなわち、コンテンツ一覧表示画面への表示の切り替えを指示するための操作部である。
【０２４９】
図１６に示すコンテンツ詳細表示画面において、無線端末１０２の操作情報により購入のボタン１６０５ａ，１６０５ｂのいずれかが選択されると（ステップＳ１２１１）、制御部２１４は、コンテンツ配信サーバ１０６に対して、コンテンツ選択情報を送信する（ステップＳ１２１２）。
【０２５０】
コンテンツ選択情報には、所望のコンテンツを識別する情報および必要であれば所望のコンテンツがＨＤ画質であるかＳＤ画質であるかを識別する情報が含まれている。
【０２５１】
コンテンツ配信サーバ１０６は、コンテンツ選択情報に基づいて識別されたコンテンツを復号するための鍵情報を生成して、その鍵情報をテレビ受信機１０１に対して送信する（ステップＳ１２１３）。
【０２５２】
鍵情報としては、暗号化されたコンテンツの情報を復号するための復号鍵に加え、コンテンツ毎にコンテンツＩＤ、有効期限または有効回数などによって構成されている。なお、この鍵情報の送信ステップ（ステップＳ１２１３）は、コンテンツに暗号化が必要な場合であって、不要な場合には省略してもよい。
【０２５３】
テレビ受信機１０１は、コンテンツ配信サーバ１０６から鍵情報を受信し、コンテンツの受信準備が完了すると、コンテンツ配信開始要求を送信する（ステップＳ１２１４）。テレビ受信機１０１からの配信開始要求を受けたコンテンツ配信サーバ１０６のコンテンツ配信部７０３は、テレビ受信機１０１に対するコンテンツ配信を開始する（ステップＳ１２１５）。
【０２５４】
図１１（ｂ）に示す画面において、入力部３１１を介したユーザの操作により操作画面１２１３の「再生」がタップ操作されると（ステップＳ１２１６）、無線端末１０２は、テレビ受信機１０１に対して操作情報（（再生）を送信する（ステップＳ１２１７）。
【０２５５】
操作情報（再生）を受信したテレビ受信機１０１においては、コンテンツ再生部５０７が、コンテンツの再生処理を行う。この際、復号鍵がある場合にはそれを用いて暗号化されたコンテンツの情報を復号してコンテンツの再生を開始する（ステップＳ１２１８）。
【０２５６】
図１３（ｂ）に示す操作画面において、操作画面１３０４の停止操作の操作ボタンが選択された場合（ステップＳ１２１９、無線端末１０２は、操作情報（停止）をテレビ受信機１０１に送信し（ステップＳ１２２０）、テレビ受信機１０１は、コンテンツ配信サーバ１０６に対して、配信停止要求を送信する（ステップＳ１２２１）。
【０２５７】
コンテンツ配信サーバ１０６は、テレビ受信機１０１からの配信停止要求を受け取るか、またはコンテンツ配信サーバ１０６がコンテンツの終端を検出した場合（ステップＳ１２２２）は、コンテンツの配信を停止し（ステップＳ１２２３）、テレビ受信機１０１に対してコンテンツ配信終了通知を送信する（ステップＳ１２２４）。
【０２５８】
テレビ受信機１０１は、コンテンツ配信終了通知を受けると、コンテンツの再生を停止する（ステップＳ１２２５）。ここで、テレビ受信機１０１は、ステップＳ１２１９の処理にて再生を停止すると、コンテンツ再生開始前の状態に戻るようにすることもできる。
【０２５９】
また、ステップＳ１２１９の処理を経た再生停止の場合、コンテンツの再生停止位置の情報は、ストレージ２１６の無線端末１０２のユーザのプロファイル情報にレジューム情報として保存される。
【０２６０】
そして、無線端末１０２を介して再度再生操作が行われ、同一ユーザによる同一コンテンツの再生を再開する場合に、テレビ受信機１０１のコンテンツ再生部５０７は、レジューム情報から再生停止した位置データを取得し、それを再生開始位置として再生を再開することができる。
【０２６１】
また、コンテンツの再生停止位置の情報は、コンテンツ配信サーバ１０６側で持つようにもできる。この場合、コンテンツ配信サーバ１０６は、ステップＳ１２１５の処理において、コンテンツの情報と共にコンテンツの再生停止位置の情報を送信する。
【０２６２】
これにより、テレビ受信機１０１においては、コンテンツ配信サーバ１０６からコンテンツの情報と共に取得した再生停止位置の情報に基づいて算出した再生開始位置から配信を開始することができる。
【０２６３】
また、コンテンツ配信サーバ１０６からコンテンツの配信を受けてコンテンツを再生する場合の動作フローについて説明したが、図１２のステップＳ１２１５の処理のタイミングでコンテンツデータのすべてを取得して蓄積し、蓄積完了後に視聴再生するようにしてもよい。この場合は、図１２のステップS1２２２の処理およびステップＳ１２２３の処理は不要となる。
【０２６４】
また、鍵情報を送信するステップＳ１２１３の処理で、テレビ受信機１０１は、コンテンツ配信サーバ１０６から受信した鍵情報をストレージ２１６に記憶しておくこともできる。あるいは、鍵情報を毎回破棄し、コンテンツを再生する度に、コンテンツ配信サーバからステップＳ１２１８の処理のタイミングで鍵情報を取得することもできる。
【０２６５】
また、無線端末１０２でコンテンツ配信サーバ１０６からダウンロードしたコンテンツを途中まで再生して、続きをテレビ受信機１０１で再生視聴したい場合は、ユーザプロファイル情報に基づいて、テレビ受信機１０１のコンテンツ・アプリ同期処理部５１０により無線端末１０２とテレビ受信機１０１とでダウンロードコンテンツを同期することも可能である。
【０２６６】
ここで、無線端末１０２を単体で使用する場合は、テレビ受信機１０１のコンテンツ再生部５０７と同様に、コンテンツ再生部６０７がコンテンツの再生処理を行う。
【０２６７】
次に、無線端末１０２および無線端末１０３がテレビ受信機１０１に対して同時にアクセスし、テレビ受信機１０１とコンテンツ配信サーバ１０６とがコンテンツの情報のやり取りを行い、テレビ受信機１０１においてコンテンツ一覧が表示される際の動作について、図１７を参照して説明する。
【０２６８】
図１７は、図１のネットワーク端末システムが有する無線端末１０２，１０３、テレビ受信機１０１、およびコンテンツ配信サーバ１０６による処理の一例を示すフローチャートである。
【０２６９】
この図１７は、図１２に示した無線端末１０２、テレビ受信機１０１、およびコンテンツ配信サーバ１０６の動作に対して、新たに無線端末１０３の動作を加えたシーケンスを示している。
【０２７０】
まず、無線端末１０２からプロファイル情報をテレビ受信機１０１に送信して保存する図１０のシーケンスのステップＳ１００１〜Ｓ１００９の処理に引き続き、ステップＳ１２０１の処理において、テレビ受信機１０１は、無線端末１０２に対して無線端末１０２の表示部３０８に操作画面を表示する操作画面情報を送信する（ステップＳ１２０１）。
【０２７１】
無線端末１０２は、ステップＳ１２０２の処理にて、操作画面情報に基づいて、表示部３０８に、上述した図１３に示す操作画面を表示する。図１３は、無線端末１０２の操作画面の表示例を示している。図１３については前述したので、説明は省略する。
【０２７２】
同様に、無線端末１０３からも、プロファイル情報をテレビ受信機１０１に送信して保存する図１０のシーケンスのステップＳ１００１〜Ｓ１００９の処理に引き続き、ステップＳ１７０１の処理にて、テレビ受信機１０１は、無線端末１０３に対して無線端末１０３の表示部３０８に操作画面を表示する操作画面情報を送信する（ステップＳ１２０１）。無線端末１０３は、ステップＳ１７０２の処理にて、操作画面情報に基づいて、表示部３０８に図１３に示すような操作画面を表示する。
【０２７３】
ここまでの動作シーケンスにより、テレビ受信機１０１は、無線端末１０２，１０３がテレビ受信機１０１に対して同時にアクセス可能な状態であることを識別できている。
【０２７４】
ここで、テレビ受信機１０１に対して同時にアクセス可能な状態の無線端末のうち、いずれか１つの無線端末の操作画面１３０１のカーソル／決定のボタン１３０７がタップ操作されることを想定する。図１７では、ステップＳ１２０３の処理にて、無線端末１０２ の操作画面１３０１のカーソル／決定のボタン１３０７がタップ操作されたことを想定して、以下説明を続ける。
【０２７５】
無線端末１０２の操作画面１３０１におけるカーソル／決定のボタン１３０７がタップ操作されると、ステップＳ１２０３の処理と同様に「操作情報（選択）」が送信され、テレビ受信機１０１は、図１２に示した動作シーケンスのステップＳ１２０４〜Ｓ１２０６の処理にしたがって、表示部２１０にコンテンツ視聴ポータルのログイン画面を表示する。
【０２７６】
制御部２１４は、上記処理により表示されたログイン画面において、ステップＳ１２０３の処理と同様の操作情報により、無線端末１０２から入力されたユーザ名およびパスワードのログイン情報をブラウザエンジン５０２に通知し、受け取った文字列をリクエストメッセージとしてコンテンツ配信サーバ１０６に送信する（ステップＳ１２０７）。
【０２７７】
コンテンツ配信サーバ１０６は、ユーザ管理部７０１によってユーザ認証情報４０７に保存されたユーザ認証情報を参照し、正規の登録ユーザであればユーザを認証する（ステップＳ１２０８）。
【０２７８】
コンテンツ配信サーバ１０６のコンテンツ管理部７０２は、ステップＳ１２０８の処理の認証が完了すると、無線端末１０２のユーザが視聴可能なコンテンツ一覧情報をレスポンスメッセージとしてブラウザエンジン５０２に返信する（ステップＳ１２０９）。
【０２７９】
続いて、テレビ受信機１０１は、無線端末１０３を対象として、ステップＳ１２０６と同様のログイン画面を表示する（ステップＳ１７０３）。制御部２１４は、上記と同様の処理によって表示されたログイン画面において、ステップＳ１２０３の処理と同様の操作情報（ステップＳ１７０４）により、無線端末１０３から入力されたユーザ名およびパスワードのログイン情報をブラウザエンジン５０２）に通知し、受け取った文字列をリクエストメッセージとしてコンテンツ配信サーバ１０６に送信する（ステップＳ１７０５）。
【０２８０】
コンテンツ配信サーバ１０６は、ユーザ管理部７０１によりユーザ認証情報４０７に保存されたユーザ認証情報を参照し、正規の登録ユーザであればユーザを認証する（ステップＳ１７０６）。
【０２８１】
コンテンツ配信サーバ１０６のコンテンツ管理部７０２は、ステップＳ１７０６の認証が完了すると、無線端末１０３のユーザが視聴可能なコンテンツ一覧情報を、レスポンスメッセージとしてブラウザエンジン５０２に返信する（ステップＳ１７０７）。
【０２８２】
テレビ受信機１０１は、同時にアクセス可能な状態にあり、かつ、まだログインしていないすべての無線端末を対象として、ステップＳ１７０３〜１７０７の処理の動作シーケンスを繰り返す。
【０２８３】
なお、テレビ受信機１０１は、無線端末１０２，１０３から入力されたユーザ名およびパスワードのログイン情報を、メモリ２１５に一旦格納しておき、無線端末１０２，１０３からの入力が完了したのちに、メモリ２１５に格納したすべてのログイン情報をまとめてコンテンツ配信サーバ１０６に順次送信する動作としてもよい。
【０２８４】
図１８は、テレビ受信機に表示されるログイン完了通知画面の表示の一例を示す説明図である。
【０２８５】
テレビ受信機１０１は、コンテンツ配信サーバ１０６にてユーザ認証が完了するごとに、すなわち、ステップＳ１２０８の処理およびステップＳ１７０６の処理のそれぞれの後に、図１８に示すようなログイン完了通知画面１８０１を表示してもよい。
【０２８６】
このとき、表示する通知メッセージには、新たにログインしたユーザ名を通知するメッセージ１８０２や、ログインしているすべてのユーザ名を通知するメッセージ１８０３を含んでもよい。
【０２８７】
続いて、テレビ受信機１０１の制御部２１４は、統合コンテンツ一覧を作成し（ステップＳ１７０８）、統合コンテンツ一覧表示画面を表示部２１０に表示する（ステップＳ１７０９）。統合コンテンツ一覧は、ステップＳ１２０９の処理によって送信された無線端末１０２のユーザが視聴可能なコンテンツ一覧情報と、ステップＳ１４０７の処理によって送信された無線端末１０３のユーザが視聴可能なコンテンツ一覧情報をひとつにまとめたものである。
【０２８８】
図１９は、テレビ受信機１０１に表示される統合コンテンツ一覧表示画面１９０１における表示の一例を示す説明図である。
【０２８９】
統合コンテンツ一覧表示画面１９０１は、図１９に示すように、タイトル名１９０２とユーザ名１９０３を含んでもよく、これによって、どのタイトルがどのユーザ名と対応しているかが判るようにしてもよい。
【０２９０】
なお、統合コンテンツ一覧表示画面１９０１の例では、タイトル１〜３の表示１９０４が、ユーザ名：T.Matsuが視聴可能なコンテンツであることを示し、タイトル４，５の表示１９０５が、ユーザ名：M.Kageが視聴可能なコンテンツであることを示している。ユーザ名：T.Matsuは、無線端末１０２のユーザであり、ユーザ名：M.Kageは、無線端末１０３およびテレビ受信機１０１のユーザである。
【０２９１】
なお、テレビ受信機１０１が、ステップＳ１７０８の処理にてコンテンツ一覧情報を統合する前に、図２０に示すようなソート処理選択画面２００１を表示し、表示２００４として表示するか、あるいは表示２００５として表示するかを無線端末１０２あるいは無線端末１０３から選択できるようにしてもよい。
【０２９２】
表示２００４は、例えばアルファベット順などのタイトル名の順序にしたがって並べ替えた一覧を生成して表示するものである。表示２００５は、例えばアルファベット順などのユーザ名の順序にしたがって並べ替えた一覧を生成した表示である。
【０２９３】
このとき、ログインしているすべてのユーザ名、すなわち、コンテンツが統合されるユーザ名を示すメッセージ２００２や、「各ユーザが視聴可能なコンテンツを、一覧としてまとめて表示する」というテレビ受信機１０１の動作を説明するメッセージ２００３を表示してもよい。
【０２９４】
無線端末１０２，１０３を介して各ユーザがテレビ受信機１０１を操作した後に、無線端末１０２，１０３とテレビ受信機１０１の機器接続を終了する場合には、図１０に示した動作シーケンスであるステップＳ１０１０〜Ｓ１０１２の処理にしたがって、１台ずつそれぞれログアウトすればよい。
【０２９５】
図２１は、テレビ受信機１０１に表示されるログアウト通知画面の表示の一例を示す説明図である。
【０２９６】
無線端末１０２，１０３はログアウトした際には、図２１に示すように、テレビ受信機１０１にログアウト通知画面２１０１を表示し、どのユーザがログアウトしたかを示すメッセージ２１０２を表示してもよい。
【０２９７】
また、図１９に示したタイトル４，５の表示１９０５のように、ユーザ（M.Kage）のアカウントに紐付けられたコンテンツを視聴しているときに、そのユーザ（M.Kage）がログアウトした場合には、テレビ受信機１０１がコンテンツ配信サーバ１０６に対して、配信停止要求の送信（ステップＳ１２２１）を行い、そのコンテンツを即時に視聴できなくしてもよい。
【０２９８】
あるいは、例えば、そのコンテンツの終端までの期間や、テレビ受信機１０１の電源を切断するまでの期間などの一定期間は、視聴し続けることができるように、テレビ受信機１０１が制御してもよい。
【０２９９】
すなわち、これらの一定期間が過ぎるまで、テレビ受信機１０１がコンテンツ配信サーバ１０６に対して、配信停止要求の送信（ステップＳ１２２１）を行わないようにしてもよい。また、そのユーザ（M.Kage）がログアウトした後の一定期間、例えば２４時間などは、そのコンテンツを何度でも繰り返して視聴できるようにしてもよい。
【０３００】
すなわち、その一定期間は、テレビ受信機１０１がログアウトしたユーザ（M.Kage）のログイン情報（ユーザ名とパスワード）をメモリ２１５に保持し続け、図１７に示したステップＳ１７０５の処理にて、ログアウト済みのユーザ（M.Kage）に関するログイン情報を送信するようにしてもよい。
【０３０１】
このとき、図２１に示すように、コンテンツを視聴できる期間を示すメッセージ２１０３を表示するようにしてもよい。
【０３０２】
以上により、複数のユーザがそれぞれの無線端末１０２，１０３を使用して、テレビ受信機１０１を共有して同時にログインすることによって、各人のユーザアカウントに関連付けられたコンテンツの一覧をひとつに統合して表示できるようになる。
【０３０３】
それにより、ネットワーク端末システムの使い勝手を向上させることができる。
（実施の形態２）
〈概要〉
【０３０４】
本実施の形態２においては、無線端末１０２，１０３がテレビ受信機１０１を介してコンテンツ配信サーバ１０６に同時にログインすることによって、該コンテンツ配信サーバ１０６から付加価値が付いたサービス、すなわち付加価値サービスが得られるようしたものである。
【０３０５】
なお、付加価値サービスは、コンテンツを提供するサービスプロバイダが予め準備しておくことを想定している。
【０３０６】
〈ネットワーク端末システムの動作例〉
【０３０７】
図２２は、本実施の形態２によるネットワーク端末システムにおける処理の一例を示すフローチャートである。
【０３０８】
本実施の形態２では、前記実施の形態１と比較し、異なるところを強調して説明する。ネットワーク端末システムの構成、テレビ受信機１０１のソフトウェア構成、無線端末１０２のソフトウェア構成については、前記実施の形態１と同様であるため説明は省略する。
【０３０９】
図２２は、前記実施の形態１の図１７に対応するフローチャートであり、以下、実施の形態１と比較して、異なるところを強調して説明する。
【０３１０】
この図２２に示すフローチャートの動作シーケンスでは、特に、ステップＳ２２０２の処理とステップＳ２２０５の処理とが図１７に示した動作シーケンスと大きく異なっている。
【０３１１】
ステップＳ２２０２の処理は、テレビ受信機１０１からコンテンツ配信サーバ１０６に対して後述する統合ログイン情報を送信する処理である。ステップＳ２２０５の処理は、コンテンツ配信サーバ１０６が統合サービスメニューを作成する処理である。
【０３１２】
図２２において、まず、図１７に示したシーケンスと同様に、無線端末１０２からプロファイル情報をテレビ受信機１０１に送信して保存する図１０のシーケンスであるステップＳ１００１〜Ｓ１００９の処理に引き続き、ステップＳ１２０１にて、テレビ受信機１０１は、無線端末１０２に対して無線端末１０２の表示部３０８に操作画面を表示するための操作画面情報を送信する（ステップＳ１２０１）。
【０３１３】
無線端末１０２は、ステップＳ１２０２の処理にて、操作画面情報に基づいて、表示部３０８に図１３に示すような操作画面を表示する。また、無線端末１０３からも、プロファイル情報をテレビ受信機１０１に送信して保存する図１０のシーケンスであるステップＳ１００１〜Ｓ１００９に引き続き、ステップＳ１７０１の処理にて、テレビ受信機１０１は、無線端末１０３に対して無線端末１０３の表示部３０８に操作画面を表示するための操作画面情報を送信する（ステップＳ１７０１）。無線端末１０３は、ステップＳ１７０２の処理にて、操作画面情報に基づいて、表示部３０８に図１３に示す操作画面を表示する。
【０３１４】
無線端末１０２の操作画面１３０１のカーソル／決定のボタン１３０７がタップ操作されると、ステップＳ１２０３の処理と同様に「操作情報（選択）」が送信され、テレビ受信機１０１は、図１２に示した動作シーケンスであるステップＳ１２０４〜Ｓ１２０６の処理にしたがって、表示部２１０にコンテンツ視聴ポータルのログイン画面を表示する。
【０３１５】
制御部２１４は、上記処理により表示されたログイン画面において、ステップＳ１２０３の処理と同様の操作情報により、無線端末１０２から入力されたユーザ名およびパスワードのログイン情報をメモリ２１５に一旦格納する。
【０３１６】
同様に、テレビ受信機１０１は、無線端末１０３を対象として、ステップＳ１２０６の処理と同様のログイン画面を表示する（ステップＳ１７０３）。制御部２１４は、上記と同様の処理によって表示されたログイン画面において、ステップＳ１２０３の処理と同様の操作情報（ステップＳ１７０４）により、無線端末１０３から入力されたユーザ名およびパスワードのログイン情報をメモリ２１５に一旦格納する。
【０３１７】
続いて、テレビ受信機１０１は、統合ログイン情報を生成して（ステップＳ２２０１）、これをコンテンツ配信サーバ１０６に送信する（ステップＳ２２０２）。
〈統合ログイン情報の例〉
【０３１８】
図２３は、図２２のステップＳ２２０１の処理によって生成された統合ログイン情報２３０１の一例を示す説明図である。
【０３１９】
統合ログイン情報２３０１は、図２３に示すように、フラグ２３０２、およびログイン情報２３０３，２３０４を有する。フラグ２３０２は、一般的なログイン情報と区別するフラグである。ログイン情報２３０３，２３０４は、同時にログインしようとしているすべてのユーザに関するログイン情報であり、この場合、ログイン情報２３０３は、無線端末１０２に関するログイン情報であり、ログイン情報２３０３は、無線端末１０３に関するログイン情報である。
【０３２０】
統合ログイン情報２３０１を受信したコンテンツ配信サーバ１０６は、ユーザ管理部７０１によりユーザ認証情報４０７に保存されたユーザ認証情報を参照し、統合ログイン情報に含まれるすべてのユーザに関して、正規の登録ユーザであればユーザ認証する。すなわち、ステップＳ２２０３の処理にて無線端末１０２に関するユーザ認証を行い、ステップＳ２２０４にて無線端末１０３に関するユーザ認証を行う。
【０３２１】
すべてのユーザ認証が完了した後、コンテンツ配信サーバ１０６は、後述する統合サービス情報を生成して（ステップＳ２２０５）、テレビ受信機１０１に統合サービス情報を送信する（ステップＳ２２０６）。このとき、統合ログイン情報に含まれるユーザの人数に応じて、統合サービスの内容を変更するようにしてもよい。
【０３２２】
テレビ受信機１０１は、受信した統合サービス情報に基づいて生成した図２４に示す統合サービス表示画面２４０１を表示する（ステップＳ２２０７）。
〈統合サービス表示画面の表示例〉
【０３２３】
図２４は、図２２のステップＳ２２０７の処理による統合サービス表示画面における表示の一例を示す説明図である。
【０３２４】
統合サービス表示画面２４０１は、無線端末１０２，１０３が同一のテレビ受信機１０１を介してコンテンツ配信サーバに同時にログインすることによって得られる付加価値を示すメッセージ２４０２を含んでもよい。
【０３２５】
図２４に示した例では、付加価値として、普段、すなわち、単独の無線端末だけでログインした状態では見ることができないコンテンツのタイトルであるプレミアタイトルが見られるようになっていることを示している。
【０３２６】
また、コンテンツ配信サーバ１０６から送信された統合サービス情報には、コンテンツ一覧情報２４０３を含んでおり、該コンテンツ一覧情報２４０３におけるタイトル１が、新たに見ることができるようになったプレミアタイトルであることを示すメッセージ２４０４が表示されている。
【０３２７】
このとき、プレミアタイトルが、一般のタイトルよりも上位に表示されるように、コンテンツ配信サーバ１０６がコンテンツ一覧情報２４０３を生成してもよい。あるいは、プレミアタイトルが、一般のタイトルよりも上位に表示されるように、テレビ受信機１０１がコンテンツ一覧情報２４０３をソートして表示してもよい。
【０３２８】
〈統合サービス表示画面の他の表示例〉
【０３２９】
図２５は、図２２のステップＳ２２０７の処理による統合サービス表示画面における表示の他の例を示す説明図である。
【０３３０】
図２５に示す統合サービス表示画面２５０１では、無線端末１０２，１０３が同一のテレビ受信機１０１を介してコンテンツ配信サーバに同時にログインすることによって得られる付加価値を示すメッセージ２５０２を含んでもよい。
【０３３１】
図２５に示した例では、付加価値として、普段、すなわち、単独の無線端末だけでログインした状態よりも安い料金で、有料コンテンツを視聴できるようになっていることを示している。
【０３３２】
また、コンテンツ配信サーバ１０６から送信された統合サービス情報には、コンテンツ一覧情報２５０３を含んでおり、コンテンツ一覧情報２５０３には、メッセージ２５０４が表示されている。
【０３３３】
メッセージ２５０４は、タイトル１〜タイトル４をＨＤ品質によって視聴するときの料金がＳＤ品質で視聴するときと同額（例えば３００円）で視聴できるようになっていることを示すメッセージが表示されている。
【０３３４】
このとき、どの内容が変更されたかを明確にするために、変更された内容を示す部分を点滅や太字表記などによって強調して表示したり、変更の前後の内容を併記したりするように、コンテンツ配信サーバ１０６がコンテンツ一覧情報２４０３を生成してもよい。
【０３３５】
図２５の場合、変更された内容を示す部分は、例えばＨＤ視聴料金であり、変更の前後の内容は、￥５００→￥３００の表示に当たる。
【０３３６】
以上によって、複数のユーザ各人のログイン情報をひとつに統合した統合ログイン情報をコンテンツ配信サーバに送信することにより、各ユーザ単独では得られない特別なサービス、すなわち統合サービスが得られるようになる。
【０３３７】
これにより、ネットワーク端末システムの付加価値を高めることができる。
（実施の形態３）
〈概要〉
【０３３８】
本実施形態３においては、複数の無線端末が同一のテレビ受信機を介してコンテンツ配信サーバに同時にログインすることによって、コンテンツ配信サーバから付加価値が付いたサービスが得られるように動作する例のうち、特に課金に付加価値が付いた付加価値サービスについて説明する。
【０３３９】
この付加価値サービスは、コンテンツを視聴したり利用したりする料金を複数のユーザによって分担して支払うサービス、言い換えれば割り勘サービスが得られるものである。
【０３４０】
なお、この付加価値サービスは、コンテンツを提供するサービスプロバイダが予め準備しておくことを想定している。
【０３４１】
〈ネットワーク端末システムの動作例〉
【０３４２】
図２６は、本実施の形態３によるネットワーク端末システムにおける動作の一例を示すフローチャートである。
【０３４３】
この図２６においては、前記実施の形態２の図２２に示した動作シーケンスのうち、無線端末１０２および無線端末１０３が処理を開始するステップＳ１０１１からユーザ認証を行うステップＳ２２０３およびステップＳ２２０４までの処理は同一（共通）となっている。そして、図２２に示した統合サービス情報作成のステップＳ２２０５の以降の処理を、図２６に示す統合サービス情報作成（ステップＳ２６０１）以降の処理に置き換える。
【０３４４】
図２６において、コンテンツ配信サーバ１０６は、課金に関する統合サービス情報を生成して（ステップＳ２６０１）、テレビ受信機１０１に送信する（ステップＳ２６０２）。テレビ受信機１０１は、受信した統合サービス情報に基づいて、課金メニュー表示画面を生成して表示する（ステップＳ２６０３）。
〈課金メニュー表示画面の表示例〉
【０３４５】
図２７は、図２６のステップＳ２６０３の処理による課金メニュー表示画面２７０１における表示の一例を示す説明図である。
【０３４６】
課金メニュー表示画面２７０１は、無線端末１０２，１０３が同一のテレビ受信機１０１を介してコンテンツ配信サーバ１０６に同時にログインすることによって得られる付加価値を示すメッセージ２７０２を含んでいてもよい。
【０３４７】
図２７では、付加価値サービスの例として、テレビ受信機１０１にログインしている無線端末１０２，１０３の各ユーザ（T.MatsuとM.Kage）の間で、視聴料金を割り勘、すなわち分担支払いできるようになっていることを示している。
【０３４８】
また、コンテンツ配信サーバ（106）から送信された統合サービス情報には、コンテンツ一覧情報２７０３を含んでおり、その中のタイトル１を割り勘したときの視聴料金を示すメッセージ２７０４が表示されている。
【０３４９】
さらに、課金メニュー表示画面２７０１は、ユーザ間における料金を分担する内訳を示すメッセージ２７０５，２７０６を含んでもよい。また、複数の料金支払い分担内訳のメッセージ２７０５，２７０６を選択肢として表示し、これらの選択肢の中からユーザが料金支払い分担の内訳を選択できるように課金メニュー表示画面２７０１を構成してもよい。その場合には、各選択肢における料金支払い分担の内容２７０７，２７０８を表示してもよい。
【０３５０】
図２６において、テレビ受信機１０１は、前述のステップＳ２６０３の処理にて課金メニュー表示画面表示を行った後、各無線端末１０２，１０３に対して、各操作画面情報を送信する（ステップＳ２６０４，Ｓ２６０５）。
【０３５１】
各無線端末１０２，１０３は、各々の表示部３０８に、それぞれの操作画面を表示する（ステップＳ２６０６，Ｓ２６０７）。
〈操作画面の表示例〉
【０３５２】
図２８は、図２６のステップＳ２６０６，Ｓ２６０７の処理における操作画面の一例を示す説明図である。
【０３５３】
図２８（ａ）は、無線端末１０２における操作画面２８０１ａの表示例を示したものであり、図２８（ｂ）は、無線端末１０３における操作画面２８０１ａの表示例を示したものである。
【０３５４】
図２８（ａ）において、操作画面２８０１ａは、テレビ受信機１０１に表示されているコンテンツ一覧情報２７０３と同じ内容であることを示すメッセージ２８０２ａを含んでもよい。
【０３５５】
また、割り勘の承認を促すメッセージ２８０３ａを表示するとともに、承認を表す選択肢２８０６ａおよび承認拒否を表す選択肢２８０７ａを表示して、各ユーザが選択できるように操作画面２８０１ａを構成してもよい。
【０３５６】
さらに、分担する金額の変更を行う選択肢２８０８ａを表示してもよく、ユーザがこの選択肢２８０８ａをタップしたときには、例えば図１３（ａ）に示した操作画面１３０１）から、無線端末１０２のユーザ（T.Matsu）が支払う金額を入力するようにしてもよい。
【０３５７】
操作画面２８０１ａの例では、選択肢２８０８ａをタップして、図示しない方法で支払う金額を入力した後の状況が示されている。
【０３５８】
無線端末１０２のユーザ（T.Matsu）が支払う金額である（￥３，０００）を示すメッセージ２８０４ａと、無線端末１０３のユーザ（M.Kage）が支払う金額である（￥２，０００）を示すメッセージ２８０５ａが表示されている。
【０３５９】
このとき、無線端末１０２のユーザ（T.Matsu）が支払う金額を強調して表示するなどして、無線端末１０２以外のユーザが支払う金額と区別できるように表示してもよい。また、例えば、最も下に表示されたユーザ、図２８（ａ）の例では（M.Kage）が支払う料金は、タイトル１の視聴料金である（￥５，０００）からその他のユーザが支払う金額の合計を差し引いた残りの金額となるように自動計算して、メッセージ２８０５ａを表示してもよい。
【０３６０】
続いて、図２８（ｂ）において、操作画面２８０１ｂに表示されているメッセージ２８０２ｂ，２８０３ｂ，２８０６ｂ，２８０７ｂ，２８０８ｂは、それぞれ図２８（ａ）に示した操作画面２８０１ａに表示されているメッセージ２８０２ａ，２８０３ａ，２８０６ａ，２８０７ａ，２８０８ａと同一の内容である。
【０３６１】
一方、無線端末１０３のユーザ（M.Kage）が支払う金額である（￥２，０００）を示すメッセージ２８０４ｂが上位になるように表示し、その他のユーザ（T.Matsu）が支払う金額（￥３，０００）を示すメッセージ２８０５ｂが下位になるように表示している。
【０３６２】
すなわち、各無線端末１０２，１０３のユーザが支払う金額がそれぞれ最上位になるように表示する順序をソートして、各操作画面に表示してもよい。
【０３６３】
以上により、複数のユーザ各人のログイン情報をひとつに統合した統合ログイン情報をコンテンツ配信サーバに送信することにより、有料コンテンツを視聴する際に支払う金額を複数のユーザで分担して支払うことができるようになる。
【０３６４】
これによって、ネットワーク端末システムにおける利便性をより向上させることができる。
（実施の形態４）
〈概要〉
【０３６５】
本実施の形態４では、前記実施の形態１〜４にて説明した各動作、すなわち、無線端末１０２，１０３がテレビ受信機１０１に対して同時にアクセスする各動作において、各無線端末１０２，１０３のユーザがコンテンツ共有や視聴料金の割り勘の可否を予め設定しておくための初期設定について述べる。
【０３６６】
以下、他のユーザとのコンテンツ共有や視聴料金の割り勘のことを「視聴シェア」と称することにする。
〈初期設定の設定例〉
【０３６７】
図２９は、本実施の形態４による無線端末１０２，１０３における初期設定情報の一例を示す説明図である。
【０３６８】
初期設定情報は、無線端末１０２，１０３が有する図３のストレージ３０４に格納される。また、初期設定情報は、無線端末１０２，１０３を用いて、各ユーザがそれぞれ設定することを想定している。
【０３６９】
図２９（ａ）は、サービスの区分２９０１ごとに、視聴シェアの可否２９０２を設定した初期設定情報の一例を示している。サービスの区分２９０１は、各サービスを区別するための識別情報を含む。
【０３７０】
また、視聴シェアの可否２９０２は、視聴シェアしてもよい（可）か、あるいは視聴シェアしたくない（否）か、を示すためのフラグを含む。この図２９（ａ）に示す例では、一般の映画とゲームについては視聴シェアしてもよく、Ｒ１８指定の映画、すなわち１８歳未満の未成年者が閲覧するには不適切な表現が含まれる映画については視聴シェアしたくないことを示している。
【０３７１】
図２９（ｂ）は、コンテンツやアプリの区分２９０３ごとに、視聴シェアの可否２９０４を設定した初期設定情報の一例を示している。
【０３７２】
コンテンツやアプリの区分２９０３は、各プロバイダを区別するための識別情報を含む。また、視聴シェアの可否２９０４は、視聴シェアしてもよい（可）か、あるいは視聴シェアしたくない（否）か、を示すためのフラグを含む。
【０３７３】
図２９（ｂ）に示す例では、タイトルＡとタイトルＣのコンテンツについては視聴シェアしてもよく、タイトルＢのコンテンツについては視聴シェアしたくないことを示している。
【０３７４】
図２９（ｃ）は、コンテンツプロバイダやネットワークプロバイダなどのプロバイダの区分２９０５ごとに、視聴シェアの可否２９０６を設定した初期設定情報の一例を示している。
【０３７５】
プロバイダの区分２９０５は、各プロバイダを区別するための識別情報を含む。また、視聴シェアの可否２９０６は、視聴シェアしてもよい（可）か、あるいは視聴シェアしたくない（否）か、を示すためのフラグを含む。
【０３７６】
図２９（ｃ）に示す例では、Ａ社とＣ社がプロバイダとなっているコンテンツやアプリについては視聴シェアしてもよく、Ｂ社がプロバイダとなっているコンテンツやアプリについては視聴シェアしたくないことを示している。
【０３７７】
図２９（ｄ）は、課金先の区分２９０７ごとに、視聴シェアの可否２９０６を設定した初期設定情報の一例を示している。
【０３７８】
コンテンツやアプリの区分２９０７は、各プロバイダを区別するための識別情報を含む。また、視聴シェアの可否２９０８は、視聴シェアしてもよい（可）か、あるいは視聴シェアしたくない（否）か、を示すためのフラグを含む。
【０３７９】
図２９（ｄ）に示す例では、Ａ社とＣ社が課金先となっているコンテンツやアプリについては視聴シェアしてもよく、Ｂ社が課金先となっているコンテンツやアプリについては視聴シェアしたくないことを示している。
【０３８０】
なお、図２９（ａ）に示したサービスの区分２９０１や図２９（ｂ）に示したコンテンツ／アプリの区分２９０３は、コンテンツ配信サーバ１０６から送られる各コンテンツに関連付けられた電子番組表（EPG: Electronic Program Guide）の中から、テレビ受信機１０１が抽出して無線端末１０２に伝送してもよいし、無線端末１０２が抽出してもよい。
【０３８１】
このようにして各コンテンツから抽出したサービスの区分２９０１あるいはコンテンツ／アプリの区分２９０３をストレージ３０４）に格納されたサービスの区分２９０１あるいはコンテンツ／アプリの区分２９０３と比較し、各コンテンツから抽出したサービスの区分２９０１あるいはコンテンツ／アプリの区分２９０３がストレージ３０４に未格納であれば、ストレージ３０４に追加するようにしてもよい。
【０３８２】
また、図２９（ｃ）に示したプロバイダの区分２９０５や図２９（ｄ）に示した課金先の区分２９０７は、無線端末１０２を用いて新たなプロバイダや課金先と契約を結んだときに、ストレージ３０４に追加するようにしてもよい。
【０３８３】
無線端末１０２は、これらの初期設定情報を各ストレージ３０４に格納して保持しておき、ユーザプロファイル生成部６０９にて無線端末１０２のユーザのプロファイル情報を生成する（図１０のステップＳ１００７）。そして、テレビ受信機１０１に対してプロファイル情報を送信する（図１０のステップＳ１００８）。なお、無線端末１０３も同様の動作を行う。
【０３８４】
テレビ受信機１０１は、プロファイル情報として送信された視聴シェアの可否２９０２，２９０４，２９０６，２９０８の各内容を参照しながら、「視聴シェア可」の条件に一致した内容だけを前述したコンテンツ一覧表示画面１５０１，１９０１、統合サービス表示画面２４０１，２５０１、課金メニュー表示画面２７０１に表示する。また、「視聴シェア否」の内容は、各画面１５０１，１９０１，２４０１，２５０１，２７０１に表示しないようにする。
〈初期設定画面の表示例〉
【０３８５】
図３０は、無線端末１０２に表示される初期設定画面の一例を示す説明図である。
【０３８６】
図３０（ａ）において、初期設定画面３００１は、図２９（ａ）、図２９（ｂ）、図２９（ｃ）、および図２９（ｄ）に示した初期設定情報のうち、どの初期設定を行うかを選択するための選択肢３００２，３００３，３００４，３００５を表示する。
【０３８７】
すなわち、選択肢３００２は、図２９（ａ）に示した初期設定を行うための画面に切り替えるための選択肢であり、選択肢３００３は、図２９（ｂ）に示した初期設定を行うための画面に切り替えるための選択肢である。
【０３８８】
また、選択肢３００４は、図２９（ｃ）に示した初期設定を行うための画面に切り替えるための選択肢であり、選択肢３００５は、図２９（ｄ）に示した初期設定を行うための画面に切り替えるための選択肢である。
【０３８９】
初期設定画面３００１は、該初期設定画面３００１に入る前の画面に戻るための選択肢３００６を表示してもよい。無線端末１０２のユーザが、図３０（ａ）に示した選択肢３００２をタップして選択すると、無線端末１０２は、例えば図３０（ｂ）に示す初期設定画面３００７を表示する。
【０３９０】
図３０（ｂ）において、初期設定画面３００７は、図２９（ａ）に示した初期設定を行うための画面であり、選択肢３００８，３００９，３０１０をそれぞれ表示する。
【０３９１】
選択肢３００８は、予め設定されたサービスの区分２９０１に合わせて、一般の映画の視聴シェアの可否を選択する。選択肢３００９は、Ｒ１８指定の映画の視聴シェアの可否を選択する、選択肢３０１０は、ゲームの視聴シェアの可否を選択する。
【０３９２】
これら選択肢３００８，３００９，３０１０は、「視聴シェア可」あるいは「視聴シェア否」のいずれかを選択するための選択肢３０１１を備え、無線端末１０２のユーザがこのうちのどちらかをタップして選択し、その選択結果を選択肢３０１１に表示する。
【０３９３】
また、初期設定画面３００７は、この初期設定画面３００７に入る前の画面、すなわち初期設定画面３００１に戻るための選択肢３０１２を表示してもよい。
【０３９４】
なお、図３０（ａ）に示した初期設定画面３００１において、ユーザが選択肢３００３，３００４，３００５を選択した場合に表示される初期設定画面およびその動作は、図３０（ｂ）を用いて説明した初期設定画面およびその動作と同様なので、図示と説明を省略する。
【０３９５】
以上により、複数のユーザで「視聴シェア」を行う際に、区分ごとに視聴シェアの可否を表すフラグ情報を各ユーザの無線端末に格納して保持しておくことにより、視聴シェアしたくない区分の内容（タイトル名やコンテンツなど）を他のユーザに公開することなく、視聴シェアしたい区分のコンテンツだけを複数のユーザで共有して視聴することができる。
（実施の形態５）
〈概要〉
【０３９６】
本実施の形態では、図１０に示した無線端末１０２とテレビ受信機１０１との間で情報をやりとりする動作（図１０のステップＳ１００１〜Ｓ１００９）のうち、その一部の動作（ステップＳ１００１〜Ｓ１００２）を、以下に述べる動作（ステップＳ３１０１〜Ｓ３１０４）で置き換える技術について説明する。
【０３９７】
〈ネットワーク端末システムの動作例〉
【０３９８】
図３１は、本実施の形態５によるネットワーク端末システムにおける処理の一例を示すフローチャートである。
【０３９９】
図３１に示す動作は、上述したように図１０に示した無線端末１０２とテレビ受信機１０１の間で情報をやりとりする動作（ステップＳ１００１〜Ｓ１００９）のうち、ステップＳ１００１〜Ｓ１００２の処理を、以下に述べる図３１のステップＳ３１０１〜Ｓ３１０４の処理に置き換えたものである。なお、ネットワーク端末システムの構成については、前記実施の形態１の図１と同様である。
【０４００】
図３１において、テレビ受信機１０１は、端末検出部となる「端末サーチＡｐｐ」を起動する（ステップＳ３１０１）。この「端末サーチＡｐｐ」は、ストレージ２１６に格納されており、無線ルータ１０４を介してアクセス可能な同一ローカルネットワーク内にある無線端末を探す接続要求をブロードキャスト（ステップＳ３１０２）するアプリケーションプログラムである。「端末サーチＡｐｐ」は、テレビ受信機１０１が備える図示しないタイマによって起動される。起動は、定期的であり、例えば数分ごとに１回程度であればよい。
【０４０１】
なお、「端末サーチＡｐｐ」は、一般的な公知技術によって実現可能なため、図示および詳細な説明は省略する。この接続要求には、接続要求を出したデバイスをユーザが識別できるようにする情報や機器ＩＤを含んでもよい。識別できるようにする情報は、例えば、テレビ受信機１０１の機種名（ＡＢ−Ｃ１０００）であり、機器ＩＤは、例えば３Ｄ：４Ｆ：１Ｅ：００：ｘｘ：ｘｘなどである。
【０４０２】
接続要求を受けた無線端末１０２は、テレビ受信機１０１と「既に接続済みかどうか」をステップＳ３１０３で判定し、接続済み（ＹＥＳ）であれば、テレビ受信機１０１に対して、接続済みであることを示す接続状況応答を返信して、動作を終了する。
【０４０３】
一方、接続未済み（ＮＯ）であれば、表示部３０８にネットワーク接続確認画面を表示して、「接続してもよいかどうか」をユーザに確認する（ステップＳ３１０４）。
【０４０４】
図３２は、図３１のステップ３１０４の処理におけるネットワーク接続確認画面３２０１の一例を示す説明図である。この図３２は、例えば無線端末１０２におけるネットワーク接続確認画面３２０１の表示例を示している。
【０４０５】
ネットワーク接続確認画面３２０１は、「テレビ受信機から接続要求が届いたこと」を意味するメッセージ３２０２と、「接続を承認すること」を示す選択肢３２０３、および「接続を拒否すること」を示す選択肢３２０４を含む。
【０４０６】
メッセージ３２０２には、接続要求を出したデバイスをユーザが識別できるようにするための情報、すなわち上述したテレビ受信機１０１の機種名（ＡＢ−Ｃ１０００）や機器ＩＤ（３Ｄ：４Ｆ：１Ｅ：００：ｘｘ：ｘｘ）などを含んでもよい。
【０４０７】
ユーザがタップ動作などによって「承認」を示す選択肢３２０３を選択すると（ステップＳ３１０４：ＹＥＳ）、次の動作であるステップＳ１００３の処理を行う。一方、「拒否」を示す選択肢３２０４を選択すると（ステップＳ３１０４：ＮＯ）、テレビ受信機１０１に対して接続要求拒否応答を返信して動作を終了する。
【０４０８】
図３１に示すステップＳ１００３〜Ｓ１００９の処理は、図１０に示したステップＳ１００３〜Ｓ１００９の処理と同一であり、既に説明したので説明を省略する。
【０４０９】
なお、接続要求拒否応答を返信した無線端末１０２に対して、一定の期間、例えば１時間は、テレビ受信機１０１がステップＳ３１０２の処理にて接続要求を出さないように、テレビ受信機１０１を制御してもよい。
【０４１０】
あるいは、接続要求拒否応答を返信した無線端末１０２は、接続要求が届いても、一定の期間、例えば１時間は、自動的に接続拒否要求を返信するように無線端末１０２を制御してもよい。
【０４１１】
また、テレビ受信機１０１がステップＳ３１０２の処理にて接続要求をブロードキャストしたときに、既に接続済みの無線端末１０２から接続状況応答がない場合、テレビ受信機１０１は、図１０に示したステップＳ１０１１の処理と同様に、無線端末１０２から取得したユーザプロファイル情報を消去し、自動的に無線端末１０２のログアウト処理を行うようにしてもよい。
【０４１２】
以上により、テレビ受信機１０１が、同一ローカルネットワーク内にある無線端末１０２に対して接続要求をブロードキャストすることにより、無線端末１０２のユーザが能動的にテレビ受信機１０１にログインする手間を省くことができるようになる。
【０４１３】
これにより、ネットワーク端末システムにおける利便性をより一層向上させることができる。
【０４１４】
以上、本発明者によってなされた発明を実施の形態に基づき具体的に説明したが、本発明は前記実施の形態に限定されるものではなく、その要旨を逸脱しない範囲で種々変更可能であることはいうまでもない。
【０４１５】
なお、上記実施の形態１〜５では、表示部２１０を備えたＴＶ受信機などを用いて場合について説明を行ったが、表示部を外部に備えたＳＴＢ（セットトップボックス）やレコーダなどによっても同様にして本発明を実施することができる。また、通信Ｉ／Ｆを備えたモニタ装置、大型タブレット端末または電子黒板などによっても、同様にして本実施例を実施することができる。
【０４１６】
なお、本発明は上記した実施の形態に限定されるものではなく、様々な変形例が含まれる。例えば、上記した実施の形態は本発明を分かりやすく説明するために詳細に説明したものであり、必ずしも説明した全ての構成を備えるものに限定されるものではない。
【０４１７】
また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換をすることが可能である。
【符号の説明】
【０４１８】
１０１  テレビ受信機
１０２  無線端末
１０３  無線端末
１０４  無線ルータ
１０５  外部ネットワーク
１０６  コンテンツ配信サーバ
１０７  放送局
１０８  基地局
２０１  アンテナ
２０２  チューナ・復調部
２０３  選局制御部
２０４  信号分離部
２０５  音声復号部
２０６  スピーカ
２０７  音声出力部
２０８  映像復号部
２０９  重畳部
２１０  表示部
２１１  映像出力部
２１３  入力部
２１４  制御部
２１５  メモリ
２１６  ストレージ
２１８  バス
３０１  チューナ・復調部
３０２  信号分離部
３０３  メモリ
３０４  ストレージ
３０５  加速度センサ部
３０６  地磁気センサ部
３０７  制御部
３０８  表示部
３１１  入力部
３１２  ＧＰＳ受信部
３１３  ジャイロセンサ部
３１４  バス
４０２  制御部
４０３  メモリ
４０４  ストレージ
４０５  コンテンツ
４０６  機器認証情報
４０７  ユーザ認証情報
４０８  バス
５０１  接続機器認証部
５０２  ブラウザエンジン
５０３  ＨＴＭＬパーサ
５０４  データベース生成部
５０５  レンダリング部
５０６  画像処理部
５０７  コンテンツ再生部
５０８  各種アプリケーション部
５０９  アカウント管理部
５１０  コンテンツ・アプリ同期処理部
５１１  接続機器認証プログラム
５１２  ブラウザプログラム
５１３  コンテンツ再生プログラム【０４１９】
５１４  各種アプリケーションプログラム
５１５  アカウント管理プログラム【０４２０】
５１６  コンテンツ・アプリ同期処理プログラム
５１７  コンテンツ
６０１  接続機器認証部
６０２  ブラウザエンジン
６０３  ＨＴＭＬパーサ
６０４  データベース生成部
６０５  レンダリング部
６０６  画像処理部
６０７  コンテンツ再生部
６０８  各種アプリケーション部
６０９  ユーザプロファイル生成部
６１０  機器認証プログラム
６１１  ブラウザプログラム
６１２  コンテンツ再生プログラム【０４２１】
６１３  各種アプリケーションプログラム【０４２２】
６１４  ユーザプロファイル生成プログラム
６１５  コンテンツ
７０１  ユーザ管理部
７０２  コンテンツ管理部
７０３  コンテンツ配信部
７０４  ユーザ管理プログラム
７０５  コンテンツ管理プログラム
７０６  コンテンツ配信プログラム
【図１】
2017104001.tif 000003
【図２】
2017104001.tif 000004
【図３】
2017104001.tif 000005
【図４】
2017104001.tif 000006
【図５】
2017104001.tif 000007
【図６】
2017104001.tif 000008
【図７】
2017104001.tif 000009
【図８】
2017104001.tif 000010
【図９】
2017104001.tif 000011
【図１０】
2017104001.tif 000012
【図１１】
2017104001.tif 000013
【図１２】
2017104001.tif 000014
【図１３】
2017104001.tif 000015
【図１４】
2017104001.tif 000016
【図１５】
2017104001.tif 000017
【図１６】
2017104001.tif 000018
【図１７】
2017104001.tif 000019
【図１８】
2017104001.tif 000020
【図１９】
2017104001.tif 000021
【図２０】
2017104001.tif 000022
【図２１】
2017104001.tif 000023
【図２２】
2017104001.tif 000024
【図２３】
2017104001.tif 000025
【図２４】
2017104001.tif 000026
【図２５】
2017104001.tif 000027
【図２６】
2017104001.tif 000028
【図２７】
2017104001.tif 000029
【図２８】
2017104001.tif 000030
【図２９】
2017104001.tif 000031
【図３０】
2017104001.tif 000032
【図３１】
2017104001.tif 000033
【図３２】
2017104001.tif 000034
【国際調査報告】
2017104001.tif 000035
2017104001.tif 000036
2017104001.tif 000037
2017104001.tif 000038